【事件の表示】
　特許第３３１２１６５号「画像印刷装置および方法、並びに記録媒体」の請求項１ないし６、８、９に係る特許に対する特許異議の申立てについて、次のとおり決定する。
【結　論】
　訂正を認める。
　特許第３３１２１６５号の請求項１ないし６、８ないし９に係る特許を維持する。
【理　由】
第１　【手続きの経緯】
　本件特許第３３１２１６５号の発明は、平成１２年８月２５日に特許出願され、平成１４年５月３１日にその特許の設定登録がなされ、その後、その特許について、異議申立人森崎慎二より特許異議の申立てがなされ、取消しの理由が通知され、その指定期間内である平成１５年６月１０日に訂正請求がなされたものである。　　　　　　　　　　　　　　　　　　　　　　　　
第２　【訂正の適否についての判断】
　１　［訂正の内容］
　特許権者が求めている訂正の内容は、以下の（１）ないし（６）のとおりである。
（１）訂正事項ａ
　特許請求の範囲の請求項１ないし９の記載を次のとおりに訂正する。
「【請求項１】　被写体を撮影する撮影手段と、
　前記撮影手段により撮影された前記被写体の画像を表示する
とともに、前記撮影手段により撮影された複数枚の画像の中から、シートに印刷可能な画像の種類の枚数だけ利用者により選択された画像の一覧を表示する
　前記表示手段により表示された前記画像に対して入力された編集入力を受け付ける受付手段と、
　前記受付手段により受け付けられた前記編集入力に基づいて前記画像を編集する編集手段と、
　前記編集手段により編集された
画像を前記シートに
画像毎に設定可能な編集可能範囲であって、
編集対象の画像に設定される
　前記範囲受付手段により受け付けられた前記編集可能範囲に基づいて、前記編集手段が編集する
編集対象の
　
編集対象の画像に設定された
　を備え、
　
前記表示手段は、前記一覧と同時に、第１と第２の表示画面のそれぞれに、前記一覧の中から利用者により選択された編集対象の画像を表示し、
　
前記範囲受付手段は、前記第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、前記第１の表示画面に表示されている第１の編集対象の画像に設定される前記編集可能範囲を受け付けるとともに、前記第２の表示画面に表示される前記選択画面において、前記第１または第２のボタンが操作された場合に、前記第２の表示画面に表示されている第２の編集対象の画像に設定される前記編集可能範囲を受け付け、
　前記編集手段は、前記判定手段により前記編集可能範囲に前記編集入力がされたと判定されたとき、前記編集入力に基づいて、
前記第１の表示画面に表示される前記第１の編集対象の画像と、前記第２の表示画面に表示される前記第２の編集対象の画像とを、それぞれ編集する
　ことを特徴とする画像印刷装置。
　【請求項２】　前記範囲受付手段は、予め用意された複数種類の前記編集可能範囲の中から、前記利用者により選択された前記編集可能範囲を受け付ける
　ことを特徴とする請求項１に記載の画像印刷装置。
　【請求項３】　前記表示手段は、複数の表示画面を有するとともに、前記受付手段は、
　前記複数の表示画面のうちの、第１の表示画面に対応する第１の受付手段と、
　前記複数の表示画面のうちの、第２の表示画面に対応する第２の受付手段と
　を有し、
　前記設定手段は、
　前記第１の表示画面に対応して第１の前記編集可能範囲を設定する第１の設定手段と、
　前記第２の表示画面に対応して第２の前記編集可能範囲を設定する第２の設定手段と
　を有する
　ことを特徴とする請求項１または２に記載の画像印刷装置。
　【請求項４】　前記範囲受付手段は、前記複数の表示画面毎に、前記利用者により選択された前記編集可能範囲を受け付ける
　ことを特徴とする請求項３に記載の画像印刷装置。
　【請求項５】　前記第１の表示画面には、前記第１の設定手段により設定された第１の前記編集可能範囲が表示され、
　前記第２の表示画面には、前記第２の設定手段により設定された第２の前記編集可能範囲が表示される
　ことを特徴とする請求項３または４に記載の画像印刷装置。
　【請求項６】　前記第１の表示画面と第２の表示画面に表示されている前記画像が同一の画像である場合、前記第１の受付手段による編集入力を前記第２の表示画面に反映させるとともに、前記第２の受付手段による編集入力を前記第１の表示画面に反映させる反映手段をさらに備える
　ことを特徴とする請求項３，４または５に記載の画像印刷装置。
　【請求項７】　前記反映手段は、第１の前記編集可能範囲を、前記第２の表示画面に反映させることを禁止し、かつ、第２の前記編集可能範囲を、前記第１の表示画面に反映させることを禁止する
　ことを特徴とする請求項６に記載の画像印刷装置。
　【請求項８】　被写体を撮影する撮影ステップと、
　前記撮影ステップの処理により撮影された前記被写体の画像を表示する
とともに、前記撮影ステップの処理により撮影された複数枚の画像の中から、シートに印刷可能な画像の種類の枚数だけ利用者により選択された画像の一覧を表示する
　前記表示ステップの処理により表示された前記画像に対して入力された編集入力を受け付ける受付ステップと、
　前記受付ステップの処理により受け付けられた前記編集入力に基づいて前記画像を編集する編集ステップと、
　前記編集ステップの処理により編集された
画像を前記シート
　画像毎に設定可能な編集可能範囲であって、
編集対象の画像に設定される
　前記範囲受付ステップの処理により受け付けられた前記編集可能範囲に基づいて、前記編集ステップの処理により編集される
編集対象の
　
編集対象の画像に設定された
　を含み、　　
　
前記表示ステップの処理により、前記一覧と同時に、第１と第２の表示画面のそれぞれに、前記一覧の中から利用者により選択された編集対象の画像が表示され、
　
前記範囲受付ステップの処理により、前記第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、前記第１の表示画面に表示されている第１の編集対象の画像に設定される前記編集可能範囲が受け付けられるとともに、前記第２の表示画面に表示される前記選択画面において、前記第１または第２のボタンが操作された場合に、前記第２の表示画面に表示されている第２の編集対象の画像に設定される前記編集可能範囲が受け付けられ、
　前記編集ステップの処理では、前記判定ステップの処理により前記編集可能範囲に前記編集入力がされたと判定されたとき、前記編集入力に基づいて
、前記第１の表示画面に表示される前記第１の編集対象の画像と、前記第２の表示画面に表示される前記第２の編集対象の画像とが、それぞれ編集される
　ことを特徴とする画像印刷方法。
　【請求項９】　被写体の撮影を制御する撮影制御ステップと、
　前記撮影制御ステップの処理により撮影が制御された前記被写体の画像の表示を制御する
とともに、前記撮影ステップの処理により撮影された複数枚の画像の中から、シートに印刷可能な画像の種類の枚数だけ利用者により選択された画像の一覧を表示を制御する
　前記表示制御ステップの処理により表示が制御された前記画像に対して入力された編集入力を受け付ける受付ステップと、
　前記受付ステップの処理により受け付けられた前記編集入力に基づいて前記画像を編集する編集ステップと、
　
前記編集ステップの処理により編集された画像を前記シートに印刷させる印刷ステップと、
　
画像毎に設定可能な編集可能範囲であって、
編集対象の画像に設定される
　前記範囲受付制御ステップの処理により受け付けられた前記編集可能範囲に基づいて、前記編集ステップの処理により編集される
編集対象の
　
編集対象の画像に設定された
　を含み、
　
前記表示制御ステップの処理により、前記一覧と同時に、第１と第２の表示画面のそれぞれに、前記一覧の中から利用者により選択された編集対象の画像が表示され、
　
前記範囲受付制御ステップの処理により、前記第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、前記第１の表示画面に表示されている第１の編集対象の画像に設定される前記編集可能範囲が受け付けられるとともに、前記第２の表示画面に表示される前記選択画面において、前記第１または第２のボタンが操作された場合に、前記第２の表示画面に表示されている第２の編集対象の画像に設定される前記編集可能範囲が受け付けられ、
　前記編集ステップの処理では、前記判定ステップの処理により前記編集可能範囲に前記編集入力がされたと判定されたとき、前記編集入力に基づいて
、前記第１の表示画面に表示される前記第１の編集対象の画像と、前記第２の表示画面に表示される前記第２の編集対象の画像とが、それぞれ編集される
（２）訂正事項ｂ
　特許明細書の段落【０００７】の記載を次のとおりに訂正する。
「【課題を解決するための手段】
　本発明の第１の画像印刷装置は、被写体を撮影する撮影手段と、撮影手段により撮影された被写体の画像を表示する
とともに、撮影手段により撮影された複数枚の画像の中から、シートに印刷可能な画像の種類の枚数だけ利用者により選択された画像の一覧を表示する
画像をシートに
画像毎に設定可能な編集可能範囲であって、
編集対象の画像に設定される
編集対象の
編集対象の画像に設定された
表示手段は、前記一覧と同時に、第１と第２の表示画面のそれぞれに、前記一覧の中から利用者により選択された編集対象の画像を表示し、範囲受付手段は、前記第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、第１の表示画面に表示されている第１の編集対象の画像に設定される編集可能範囲を受け付けるとともに、第２の表示画面に表示される選択画面において、第１または第２のボタンが操作された場合に、第２の表示画面に表示されている第２の編集対象の画像に設定される編集可能範囲を受け付け、
第１の表示画面に表示される第１の編集対象の画像と、第２の表示画面に表示される第２の編集対象の画像とを、それぞれ編集する
（３）訂正事項ｃ
　特許明細書の段落【００１４】の記載を次のとおりに訂正する。
「本発明の画像印刷装置の画像印刷方法は、被写体を撮影する撮影ステップと、撮影ステップの処理により撮影された被写体の画像を表示する
とともに．撮影ステップの処理により撮影された複数枚の画像の中から、シートに印刷可能な画像の種類の枚数だけ利用者により選択された画像の一覧を表示する
画像をシートに
画像毎に設定可能な編集可能範囲であって、
編集対象の画像に設定される
編集対象の
編集対象の画像に設定された
表示ステップの処理により、一覧と同時に、第１と第２の表示画面のそれぞれに、一覧の中から利用者により選択された編集対象の画像が表示され、範囲受付ステップの処理により、第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、第１の表示画面に表示されている第１の編集対象の画像に設定される編集可能範囲が受け付けられるとともに、第２の表示画面に表示される選択画面において、第１または第２のボタンが操作された場合に、第２の表示画面に表示されている第２の編集対象の画像に設定される編集可能範囲が受け付けられ、
、前記第１の表示画面に表示される前記第１の編集対象の画像と、前記第２の表示画面に表示される前記第２の表示画面に表示される前記第２の編集対象の画像とが、それぞれ編集される
（４）訂正事項ｄ
　特許明細書の段落【００１５】の記載を次のとおりに訂正する。
「本発明の記録媒体に記録されているプログラムは、被写体の撮影を制御する撮影制御ステップと、撮影制御ステップの処理により撮影が制御された被写体の画像の表示を制御する
とともに、撮影ステップの処理により撮影された複数枚の画像の中から、シートに印刷可能な画像の種類の枚数だけ利用者により選択された画像の一覧の表示を制御する
編集ステップの処理により編集された画像をシートに印刷させる印刷ステップと、画像毎に設定可能な編集可能範囲であって、
編集対象の画像に設定される
編集対象の
編集対象の画像に設定された
表示制御ステップの処理により、一覧とともに、第１と第２の表示画面のそれぞれに、一覧の中から利用者により選択された編集対象の画像が同時に表示され、範囲受付制御ステップの処理により、第１の表示画面に表示される、編集対象の画像の一部を編集可能範囲に設定するとき操作される第１のボタン、および、全部を編集可能範囲に設定するとき操作される第２のボタンが表示される選択画面において、第１または第２のボタンが操作された場合に、第１の表示画面に表示されている第１の編集対象の画像に設定される編集可能範囲が受け付けられるとともに、第２の表示画面に表示される選択画面において、第１または第２のボタンが操作された場合に、第２の表示画面に表示されている第２の編集対象の画像に設定される編集可能範囲が受け付けられ、
、前記第１の表示画面に表示される前記第１の編集対象の画像と、前記第２の表示画面に表示される前記第２の編集対象の画像とが、それぞれ編集される
（５）訂正事項ｅ
　特許明細書の段落【００１７】の記載を次のとおりに訂正する。
「本発明の画像印刷装置および方法、並びに記録媒体のプログラムにおいては、被写体が撮影され、撮影された被写体の画像が表示され
るとともに、撮影された複数枚の画像の中から、シートに印刷可能な画像の種類の枚数だけ利用者により選択された画像の一覧が表示され
画像がシートに
一覧と同時に、第１と第２の表示画面のそれぞれに、一覧の中から利用者により選択された編集対象の画像が表示され、第１の表示画面に表示される、編集対象の画像の一部を編集可能範囲に設定するとき操作される第１のボタン、および、全部を編集可能範囲に設定するとき操作される第２のボタンが表示される選択画面において、第１または第２のボタンが操作された場合に、第１の表示画面に表示されている第１の編集対象の画像に設定される編集可能範囲が受け付けられるとともに、第２の表示画面に表示される選択画面において、第１または第２のボタンが操作された場合に、第２の表示画面に表示されている第２の編集対象の画像に設定される編集可能範囲が受け付けられ、編集可能範囲に編集入力がされたと判定されたとき、編集入力に基づいて、第１の表示画面に表示される第１の編集対象の画像と、第２の表示画面に表示される第２の編集対象の画像とが、それぞれ編集される
（６）訂正事項ｆ
　特許明細書の段落【００１８】の記載を次のとおりに訂正する。
「本発明の画像印刷装置および方法、並びに記録媒体のプログラムによれば、被写体を撮影し、撮影した被写体の画像を表示
するとともに、撮影された複数枚の画像の中から、シートに印刷可能な画像の枚数だけ利用者により選択された画像の一覧を表示
画像をシートに
一覧と同時に、第１と第２の表示画面のそれぞれに、一覧の中から利用者により選択された編集対象の画像を表示し、 第１の表示画面に表示される、編集対象の画像の一部を編集可能範囲に設定するとき操作される第１のボタン、および、全部を編集可能範囲に設定するとき操作される第２のボタンが表示される選択画面において、第１または第２のボタンが操作された場合に、第１の表示画面に表示されている第１の編集対象の画像に設定される編集可能範囲を受け付けるとともに、第２の表示画面に表示される選択画面において、第１または第２のボタンが操作された場合に、第２の表示画面に表示されている第２の編集対象の画像に設定される編集可能範囲を受け付け、編集可能範囲に編集入力がされたと判定されたとき、編集入力に基づいて、第１の表示画面に表示される第１の編集対象の画像と、第２の表示画面に表示される第２の編集対象の画像とを、それぞれ編集する
　２　［訂正の目的の適否、新規事項の有無及び拡張・変更の存否］
　上記訂正事項ａは、特許明細書の段落【００４８】、【００６０】、【００７５】、【００８１】、【０１０５】、【０１０６】及び図１１、図１９の記載に基づいて、特許請求の範囲を限定したものであり、またそれに伴い明りょう化したものであり、特許請求の範囲の減縮を目的とした訂正、または明りょうでない記載の釈明を目的とした訂正に該当する。また上記訂正事項ｂないしｆは、上記特許請求の範囲の訂正に伴い、これと整合を図るものであり、いずれも明りょうでない記載の釈明を目的とした訂正に該当する。
　そして、上記訂正事項ａないしｆは、いずれも特許明細書に記載されている事項の範囲内のものであり、新規事項の追加に該当せず、また実質上特許請求の範囲を拡張し、又は変更するものでもない。
　３　［独立特許要件］
　上記訂正事項ａの請求項７は、請求項１を間接的に引用するものであり、その請求項１は、上記のように訂正されているのであるから、請求項７についても訂正がなされている。
　したがって、上記訂正事項ａの請求項７に係る訂正は、特許異議の申立てがされていない請求項についての訂正であって、特許請求の範囲の減縮を目的とした訂正に該当するから、訂正明細書の請求項７に係る発明の独立特許要件について検討する。
　訂正明細書の請求項７に係る発明は、訂正明細書の特許請求の範囲の請求項７に記載された事項により特定されるとおりのものであって（上記第２の１［訂正の内容］参照。）、同請求項１に係る発明の構成要件を全て含むものである。
　そして、当該請求項１に係る発明が、下記第３の４のように、申立人が提出した全刊行物に記載された発明に基づいて当業者が容易に発明できたものと認めることができないので、同様の理由により、訂正明細書の請求項７に係る発明は、申立人が提出した全刊行物に記載された発明に基づいて当業者が容易に発明できたものと認めることができない。
　したがって、訂正明細書の請求項７に係る発明は、出願の際、独立して特許を受けることができるものである。
　４　［むすび］
　以上のとおりであるから、上記訂正は、特許法第１２０条の４第２項及び第３項において準用する同法第１２６条第２項から第４項の規定に適合するので、当該訂正を認める。　　　　
　　　　　　　　　　　　　　　　　　　
第３　【特許異議の申立てについての判断】
　１　［申立ての理由の概要］
　申立人森崎慎二は、証拠として、甲第１号証：特開２０００−２２９２９号公報、甲第２号証：特開２０００−６９４０４号公報、参考文献１：特開平５−２７４４２８号公報、参考文献２：特開平５−５０５７２号公報、参考文献３：特開平５−１６５５９３号公報、参考文献４：特開平５−６４１５号公報、参考文献５：特開２０００−６９４６７号公報、参考文献６：特開平１１−２４４５２９号公報、参考文献７：特開平６−３１９８７３号公報、参考文献８：意匠登録第９４３２１０号の類似１、参考文献９：意匠登録第９２４４９０号、参考文献１０：特許第３０１５７６４号、参考文献１１：特開昭５９−１８１３８９号公報、参考文献１２：特開平４−２１７１５８号公報を提出し、特許請求の範囲の請求項１ないし６、８、９に係る発明についての特許は、特許法第２９条第２項の規定に違反してなされたものであるから、特許を取り消すべき旨、主張している。
　２　［本件発明］
　本件特許第３３１２１６５号の請求項１ないし６、８、９に係る発明は、訂正明細書の特許請求の範囲の請求項１ないし６、８、９に記載された事項により特定されるとおりのものである（上記第２の１［訂正の内容］参照）。
　３　［引用刊行物記載の発明］
　当審が通知した取消理由に引用した刊行物１（上記甲第１号証）には、　利用者を撮影するビデオカメラと、ビデオカメラにより撮影された利用者の画像を表示するＣＲＴと、ＣＲＴにより表示された撮影画像に対して合成する装飾画像を選択する操作パネルと、操作パネルにより入力された装飾画像と撮影画像を合成する合成手段としてのパーソナルコンピュータと、合成された画像を印刷するシールプリンタと、合成手段が合成する撮影画像の合成可能範囲を自動的に設定する設定手段と、撮影画像の合成可能範囲に合成入力がされたか否かを判定する判定手段とを備え、合成手段は、判定手段により合成可能範囲に合成入力がされたと判定されたとき、撮影画像に対して装飾画像を配置するシール自動販売機が記載され、また、テンプレートマッチングやクロマキー処理により、撮影画像の編集可能範囲を自動的に設定することが記載されている。
　同じく引用した刊行物２（上記甲第２号証）には、利用者を撮影するＣＣＤカメラと、ＣＣＤカメラにより撮影された利用者の画像を表示するモニタと、モニタにより表示された画像に対して入力された編集入力を受け付けるデジタイザと、デジイザにより受け付けられた編集入力に基づいて画像を編集する表示プロセッサと、表示プロセッサにより編集された画像を印刷するプリンタとを備える画像プリント作成装置が記載されており、またタッチペンを２つ設けること、およびデジタイザは、編集入力を指示する表示に基づく２個のタッチペンで入力された編集入力を受け付けることが記載されている。
　同じく引用した刊行物３（上記参考文献１）には、画像の全領域または部分的領域をリアルタイムで加工して合成する画像処理装置において、ユーザが画像の所望の領域（エリア）をディジタイザやマーカにより部分的に指定するとともにその領域の所望の加工編集処理モードを指定すると、この指定領域に対する加工処理がリアルタイムで行われることが記載されている。
　同じく引用した刊行物４（上記参考文献２）には、画像装飾編集において、表示装置７の画面表示に従い、領域指定画像ＡＩ、Ａ２、Ａ３の何れか一つに対応する領域の画像表示部を指先にて触れ、タッチパネル３７のタッチ操作を行い、領域指定画像を選択指定し、画像編集制御することが記載されている。
　同じく引用した刊行物５（上記参考文献３）には、表示画面上に表示されたイメージ情報あるいは文字情報などの画像情報を編集するための画像編集装置に関し、重なり合った領域ＡないしＣの内、最前面の領域Ｃを選択する場合、まず、スタイラス・ペン１０１ａにより、最前面の領域Ａ内の座標を指示することが記載されている。
　同じく引用した刊行物６（上記参考文献４）には、原稿を画像モニタに表示し、その所定領域に対して所定の画像処理を施してプリント出力させる画像処理装置において、領域指定方法選択手段としての１点指定キー２１４Ａ、２点指定キー２１８Ａ、多点指定キー２２０Ａ等で領域を入力し、編集を行うことが記載されている。
　同じく引用した刊行物７（上記参考文献５）には、プレーヤの顔を撮影するＣＣＤカメラと、前記ＣＣＤカメラにより撮影されたプレーヤの画像を表示するディスプレイとを有し、前記ディスプレイは、複数の表示画面から構成されることが記載されている。
　同じく引用した刊行物８（上記参考文献６）には、プレイヤを撮影するＣＣＤカメラと、前記ＣＣＤカメラにより撮影されたプレイヤの画像を表示するＣＲＴディスプレイとを有し、前記ＣＲＴディスプレイは、２つの表示画面から構成されていることが記載されている。
　同じく引用した刊行物９（上記参考文献７）には、表示装置が、２つの表示画面から構成されていることが記載されている。
　同じく引用した刊行物１０、１１（上記参考文献８、９）には、複数の表示画面が並置されていることが記載されている。
　同じく引用した刊行物１２（上記参考文献１０）には、テレビゲーム装置に関し、複数のモニタ４のうち、一方、および他方のモニタ４に同じ道路画像が表示され、一方のモニタ４上に表示される自動車画像が、他方のモニタ４上に表示される敵車画像として反映されて表示されることが記載されている。
　同じく引用した刊行物１３（上記参考文献１１）には、表示制御方式に関し、複数の画像表示画面１３，２３にそれぞれペン入力による文字や図形等を検出して受け付ける検出線が設けられ、複数の検出線の一方により受付られた第１のペン入力を、他方の検出線により受付られた第２のペン入力として反映させることが記載されている。
　同じく引用した刊行物１４（上記参考文献１２）には、描画通信装置の描画手段制御方式に関し、端末Ａと端末Ｂのディスプレイの表示が同一の状態であり、端末Ａが書き込み型の描画手段を使用したときに、その結果が端末Ｂのディスプレイに反映されることが記載されている。
　４　［当審の判断］
（１）　本件請求項１に係る発明について
　本件請求項１に係る発明と上記各刊行物に記載の発明とを対比すると、上記各刊行物には、本件請求項１に係る発明の主要な事項である「前記撮影手段により撮影された前記被写体の画像を表示するとともに、前記撮影手段により撮影された複数枚の画像の中から、シートに印刷可能な画像の種類の枚数だけ利用者により選択された画像の一覧を表示する表示手段」、「前記表示手段は、前記一覧と同時に、第１と第２の表示画面のそれぞれに、前記一覧の中から利用者により選択された編集対象の画像を表示し、前記範囲受付手段は、前記第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、前記第１の表示画面に表示されている第１の編集対象の画像に設定される前記編集可能範囲を受け付けるとともに、前記第２の表示画面に表示される前記選択画面において、前記第１または第２のボタンが操作された場合に、前記第２の表示画面に表示されている第２の編集対象の画像に設定される前記編集可能範囲を受け付け」の構成（以下「構成Ａ」という。）については、何も記載がなく、示唆もない。
　以上のように、上記各刊行物のいずれにも本件請求項１の上記構成Ａについて記載も示唆もないのであるから、上記各刊行物の記載内容を組み合わせても本件請求項１に係る発明が容易になし得たとはいえない。
　そして、本件請求項１に係る発明は、上記構成Ａを採用することによって、「撮影画像に対して落書きを入力する場合、例えば、被写体の顔などに落書きが重なるのを防ぐことができる。」（訂正明細書の【発明の効果】欄の記載）とともに落書きのしやすいという明細書記載の顕著な効果を奏するものといえる。
（２）　本件請求項２ないし６に係る発明について
　本件請求項２ないし６に係る発明は、本件請求項１に係る発明を直接的あるいは間接的に引用し、更に限定事項を付加したものであるから、本件請求項１に係る発明について検討した上記（１）と同様の理由により、上記各刊行物に記載の発明から当業者が容易になし得たとはいえない。
（３）　本件請求項８に係る発明について
　本件請求項８に係る発明は、本件請求項１係る発明の装置を方法として表現したものであって、本件請求項１係る発明について検討した上記（１）と同様の理由により、上記各刊行物の記載の発明から当業者が容易になし得たとはいえない。
（４）　本件請求項９に係る発明について
　本件請求項９に係る発明は、本件請求項１係る発明の装置を方法として表現したものを、更に記録媒体として特定したものであり、本件請求項１係る発明について検討した上記（１）と同様の理由により、上記各刊行物の記載の発明から当業者が容易になし得たとはいえない。
　　　　　　　　　　　　　　　　　　　　　　　　　　　　
第４　【むすび】
　以上のとおりであるから、特許異議申立ての理由及び証拠によっては、本件請求項１ないし６、８、９の特許を取り消すことはできない。
　また、他に本件請求項１ないし６、８、９に係る特許を取り消すべき理由を発見しない。
　よって、結論のとおり決定する。
【異議決定日】
平成１５年６月２０日（２００３．６．２０）
【訂正の要旨】
　ａ−１．特許請求の範囲の請求項１に
「被写体を撮影する撮影手段と、
　前記撮影手段により撮影された前記被写体の画像を表示する表示手段と、
　前記表示手段により表示された前記画像に対して入力された編集入力を受け付ける受付手段と、
　前記受付手段により受け付けられた前記編集入力に基づいて前記画像を編集する編集手段と、
　前記編集手段により編集された前記画像を印刷する印刷手段と、
　利用者により選択される、前記編集手段が編集する前記画像の編集可能範囲を受け付ける範囲受付手段と、
　前記範囲受付手段により受け付けられた前記編集可能範囲に基づいて、前記編集手段が編集する前記画像の編集可能範囲を設定する設定手段と、
　前記画像の前記編集可能範囲に編集入力がされたか否かを判定する判定手段と
　を備え、
　前記編集手段は、前記判定手段により前記編集可能範囲に前記編集入力がされたと判定されたとき、前記編集入力に基づいて前記画像を編集する
　ことを特徴とする画像印刷装置。」
とあるのを、
「被写体を撮影する撮影手段と、
　前記撮影手段により撮影された前記被写体の画像を表示する
とともに、前記撮影手段により撮影された複数枚の画像の中から、シートに印刷可能な画像の種類の枚数だけ利用者により選択された画像の一覧を表示する
　前記表示手段により表示された前記画像に対して入力された編集入力を受け付ける受付手段と、
　前記受付手段により受け付けられた前記編集入力に基づいて前記画像を編集する編集手段と、
　前記編集手段により編集された
画像を前記シートに
　
画像毎に設定可能な編集可能範囲であって、
編集対象の画像に設定される
　前記範囲受付手段により受け付けられた前記編集可能範囲に基づいて、前記編集手段が編集する
編集対象の
　
編集対象の画像に設定された
　を備え、
　
前記表示手段は、前記一覧と同時に、第１と第２の表示画面のそれぞれに、前記一覧の中から利用者により選択された編集対象の画像を表示し、
　
前記範囲受付手段は、前記第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、前記第１の表示画面に表示されている第１の編集対象の画像に設定される前記編集可能範囲を受け付けるとともに、前記第２の表示画面に表示される前記選択画面において、前記第１または第２のボタンが操作された場合に、前記第２の表示画面に表示されている第２の編集対象の画像に設定される前記編集可能範囲を受け付け、
　前記編集手段は、前記判定手段により前記編集可能範囲に前記編集入力がされたと判定されたとき、前記編集入力に基づいて
、前記第１の表示画面に表示される前記第１の編集対象の画像と、前記第２の表示画面に表示される前記第２の編集対象の画像とを、それぞれ編集する
　ことを特徴とする画像印刷装置。」
と訂正する。
　ａ−２．特許請求の範囲の請求項８に
「被写体を撮影する撮影ステップと、
　前記撮影ステップの処理により撮影された前記被写体の画像を表示する表示ステップと、
　前記表示ステップの処理により表示された前記画像に対して入力された編集入力を受け付ける受付ステップと、
　前記受付ステップの処理により受け付けられた前記編集入力に基づいて前記画像を編集する編集ステップと、
　前記編集ステップの処理により編集された前記画像を印刷する印刷ステップと、
　利用者により選択される、前記編集ステップの処理により編集される前記画像の編集可能範囲を受け付ける範囲受付ステップと、
　前記範囲受付ステップの処理により受け付けられた前記編集可能範囲に基づいて、前記編集ステップの処理により編集される前記画像の編集可能範囲を設定する設定ステップと、
　前記画像の前記編集可能範囲に編集入力がされたか否かを判定する判定ステップと
　を含み、
　前記編集ステップの処理では、前記判定ステップの処理により前記編集可能範囲に前記編集入力がされたと判定されたとき、前記編集入力に基づいて前記画像が編集される
　ことを特徴とする画像印刷方法。」
とあるのを、
「被写体を撮影する撮影ステップと、
　前記撮影ステップの処理により撮影された前記被写体の画像を表示する
とともに、前記撮影ステップの処理により撮影された複数枚の画像の中から、シートに印刷可能な画像の種類の枚数だけ利用者により選択された画像の一覧を表示する
　前記表示ステップの処理により表示された前記画像に対して入力された編集入力を受け付ける受付ステップと、
　前記受付ステップの処理により受け付けられた前記編集入力に基づいて前記画像を編集する編集ステップと、
　前記編集ステップの処理により編集された
画像を前記シートに
　
画像毎に設定可能な編集可能範囲であって、
編集対象の画像に設定される
　前記範囲受付ステップの処理により受け付けられた前記編集可能範囲に基づいて、前記編集ステップの処理により編集される
編集対象の
　
編集対象の画像に設定された
　を含み、
　
前記表示ステップの処理により、前記一覧と同時に、第１と第２の表示画面のそれぞれに、前記一覧の中から利用者により選択された編集対象の画像が表示され、
　
前記範囲受付ステップの処理により、前記第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、前記第１の表示画面に表示されている第１の編集対象の画像に設定される前記編集可能範囲が受け付けられるとともに、前記第２の表示画面に表示される前記選択画面において、前記第１または第２のボタンが操作された場合に、前記第２の表示画面に表示されている第２の編集対象の画像に設定される前記編集可能範囲が受け付けられ、
　前記編集ステップの処理では、前記判定ステップの処理により前記編集可能範囲に前記編集入力がされたと判定されたとき、前記編集入力に基づいて
、前記第１の表示画面に表示される前記第１の編集対象の画像と、前記第２の表示画面に表示される前記第２の編集対象の画像とが、それぞれ編集される
　ことを特徴とする画像印刷方法。」
と訂正する。
　ａ−３．特許請求の範囲の請求項９に
「被写体の撮影を制御する撮影制御ステップと、
　前記撮影制御ステップの処理により撮影が制御された前記被写体の画像の表示を制御する表示制御ステップと、
　前記表示制御ステップの処理により表示が制御された前記画像に対して入力された編集入力を受け付ける受付ステップと、
　前記受付ステップの処理により受け付けられた前記編集入力に基づいて前記画像を編集する編集ステップと、
　利用者により選択される、前記編集ステップの処理により編集される前記画像の編集可能範囲の受け付けを制御する範囲受付制御ステップと、
　前記範囲受付制御ステップの処理により受け付けられた前記編集可能範囲に基づいて、前記編集ステップの処理により編集される前記画像の編集可能範囲を設定する設定ステップと、
　前記画像の前記編集可能範囲に編集入力がされたか否かを判定する判定ステップと
　を含み、
　前記編集ステップの処理では、前記判定ステップの処理により前記編集可能範囲に前記編集入力がされたと判定されたとき、前記編集入力に基づいて前記画像が編集される
　ことを特徴とするコンピュータが読み取り可能なプログラムが記録されている記録媒体。」
とあるのを、
「被写体の撮影を制御する撮影制御ステップと、
　前記撮影制御ステップの処理により撮影が制御された前記被写体の画像の表示を制御する
とともに、前記撮影ステップの処理により撮影された複数枚の画像の中から、シートに印刷可能な画像の種類の枚数だけ利用者により選択された画像の一覧の表示を制御する
　前記表示制御ステップの処理により表示が制御された前記画像に対して入力された編集入力を受け付ける受付ステップと、
　前記受付ステップの処理により受け付けられた前記編集入力に基づいて前記画像を編集する編集ステップと、
　
前記編集ステップの処理により編集された画像を前記シートに印刷させる印刷ステップと、
　
画像毎に設定可能な編集可能範囲であって、
編集対象の画像に設定される
　前記範囲受付制御ステップの処理により受け付けられた前記編集可能範囲に基づいて、前記編集ステップの処理により編集される
編集対象の
　
編集対象の画像に設定された
　を含み、
　
前記表示制御ステップの処理により、前記一覧と同時に、第１と第２の表示画面のそれぞれに、前記一覧の中から前記利用者により選択された編集対象の画像が表示され、
　
前記範囲受付制御ステップの処理により、前記第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、前記第１の表示画面に表示されている第１の編集対象の画像に設定される前記編集可能範囲が受け付けられるとともに、前記第２の表示画面に表示される前記選択画面において、前記第１または第２のボタンが操作された場合に、前記第２の表示画面に表示されている第２の編集対象の画像に設定される前記編集可能範囲が受け付けられ、
　前記編集ステップの処理では、前記判定ステップの処理により前記編集可能範囲に前記編集入力がされたと判定されたとき、前記編集入力に基づいて
、前記第１の表示画面に表示される前記第１の編集対象の画像と、前記第２の表示画面に表示される前記第２の編集対象の画像とが、それぞれ編集される
　ことを特徴とするコンピュータが読み取り可能なプログラムが記録されている記録媒体。」
と訂正する。
　ｂ．特許請求の範囲の記載と発明の詳細な説明の記載との整合をとるため、明りょうでない記載の釈明を目的として、明細書の番号「０００７」の段落に
「【課題を解決するための手段】
　本発明の第１の画像印刷装置は、被写体を撮影する撮影手段と、撮影手段により撮影された被写体の画像を表示する表示手段と、表示手段により表示された画像に対して入力された編集入力を受け付ける受付手段と、受付手段により受け付けられた編集入力に基づいて画像を編集する編集手段と、編集手段により編集された画像を印刷する印刷手段と、利用者により選択される、編集手段が編集する画像の編集可能範囲を受け付ける範囲受付手段と、範囲受付手段により受け付けられた編集可能範囲に基づいて、編集手段が編集する画像の編集可能範囲を設定する設定手段と、画像の編集可能範囲に編集入力がされたか否かを判定する判定手段とを備え、編集手段は、判定手段により編集可能範囲に編集入力がされたと判定されたとき、編集入力に基づいて画像を編集することを特徴とする。」
とあるのを、
「【課題を解決するための手段】
　本発明の第１の画像印刷装置は、被写体を撮影する撮影手段と、撮影手段により撮影された被写体の画像を表示する
とともに、撮影手段により撮影された複数枚の画像の中から、シートに印刷可能な画像の種類の枚数だけ利用者により選択された画像の一覧を表示する
画像をシートに
画像毎に設定可能な編集可能範囲であって、
編集対象の画像に設定される
編集対象の
編集対象の画像に設定された
表示手段は、前記一覧と同時に、第１と第２の表示画面のそれぞれに、前記一覧の中から利用者により選択された編集対象の画像を表示し、範囲受付手段は、第１の表示画面に表示される、編集対象の画像の一部を編集可能範囲に設定するとき操作される第１のボタン、および、全部を編集可能範囲に設定するとき操作される第２のボタンが表示される選択画面において、第１または第２のボタンが操作された場合に、第１の表示画面に表示されている第１の編集対象の画像に設定される編集可能範囲を受け付けるとともに、第２の表示画面に表示される選択画面において、第１または第２のボタンが操作された場合に、第２の表示画面に表示されている第２の編集対象の画像に設定される編集可能範囲を受け付け、
、第１の表示画面に表示される第１の編集対象の画像と、第２の表示画面に表示される第２の編集対象の画像とを、それぞれ編集する
と訂正する。
　ｃ．特許請求の範囲の記載と発明の詳細な説明の記載との整合をとるため、明りょうでない記載の釈明を目的として、明細書の番号「００１４」の段落に
「本発明の画像印刷装置の画像印刷方法は、被写体を撮影する撮影ステップと、撮影ステップの処理により撮影された被写体の画像を表示する表示ステップと、表示ステップの処理により表示された画像に対して入力された編集入力を受け付ける受付ステップと、受付ステップの処理により受け付けられた編集入力に基づいて画像を編集する編集ステップと、編集ステップの処理により編集された画像を印刷する印刷ステップと、利用者により選択される、編集ステップの処理により編集される画像の編集可能範囲を受け付ける範囲受付ステップと、範囲受付ステップの処理により受け付けられた編集可能範囲に基づいて、編集ステップの処理により編集される画像の編集可能範囲を設定する設定ステップと、画像の編集可能範囲に編集入力がされたか否かを判定する判定ステップとを含み、編集ステップの処理では、判定ステップの処理により編集可能範囲に編集入力がされたと判定されたとき、編集入力に基づいて画像が編集されることを特徴とする。」
とあるのを、
「本発明の画像印刷装置の画像印刷方法は、被写体を撮影する撮影ステップと、撮影ステップの処理により撮影された被写体の画像を表示する
とともに、撮影ステップの処理により撮影された複数枚の画像の中から、シートに印刷可能な画像の種類の枚数だけ利用者により選択された画像の一覧を表示する
画像をシートに
画像毎に設定可能な編集可能範囲であって、
編集対象の画像に設定される
編集対象の
編集対象の画像に設定された
表示ステップの処理により、一覧と同時に、第１と第２の表示画面のそれぞれに、一覧の中から利用者により選択された編集対象の画像が表示され、範囲受付ステップの処理により、第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、第１の表示画面に表示されている第１の編集対象の画像に設定される編集可能範囲が受け付けられるとともに、第２の表示画面に表示される選択画面において、第１または第２のボタンが操作された場合に、第２の表示画面に表示されている第２の編集対象の画像に設定される編集可能範囲が受け付けられ、
、前記第１の表示画面に表示される前記第１の編集対象の画像と、前記第２の表示画面に表示される前記第２の編集対象の画像とが、それぞれ編集される
と訂正する。
　ｄ．特許請求の範囲の記載と発明の詳細な説明の記載との整合をとるため、明りょうでない記載の釈明を目的として、明細書の番号「００１５」の段落に
「本発明の記録媒体に記録されているプログラムは、被写体の撮影を制御する撮影制御ステップと、撮影制御ステップの処理により撮影が制御された被写体の画像の表示を制御する表示制御ステップと、表示制御ステップの処理により表示が制御された画像に対して入力された編集入力を受け付ける受付ステップと、受付ステップの処理により受け付けられた編集入力に基づいて画像を編集する編集ステップと、利用者により選択される、編集ステップの処理により編集される画像の編集可能範囲の受け付けを制御する範囲受付制御ステップと、範囲受付制御ステップの処理により受け付けられた編集可能範囲に基づいて、編集ステップの処理により編集される画像の編集可能範囲を設定する設定ステップと、画像の編集可能範囲に編集入力がされたか否かを判定する判定ステップとを含み、編集ステップの処理では、判定ステップの処理により編集可能範囲に編集入力がされたと判定されたとき、編集入力に基づいて画像が編集されることを特徴とする。」
とあるのを、
「本発明の記録媒体に記録されているプログラムは、被写体の撮影を制御する撮影制御ステップと、撮影制御ステップの処理により撮影が制御された被写体の画像の表示を制御する
とともに、撮影ステップの処理により撮影された複数枚の画像の中から、シートに印刷可能な画像の種類の枚数だけ利用者により選択された画像の一覧の表示を制御する
編集ステップの処理により編集された画像をシートに印刷させる印刷ステップと、画像毎に設定可能な編集可能範囲であって、
編集対象の画像に設定される
編集対象の
編集対象の画像に設定された
表示制御ステップの処理により、一覧とともに、第１と第２の表示画面のそれぞれに、一覧の中から利用者により選択された編集対象の画像が同時に表示され、範囲受付制御ステップの処理により、第１の表示画面に表示される、編集対象の画像の一部を編集可能範囲に設定するとき操作される第１のボタン、および、全部を編集可能範囲に設定するとき操作される第２のボタンが表示される選択画面において、第１または第２のボタンが操作された場合に、第１の表示画面に表示されている第１の編集対象の画像に設定される編集可能範囲が受け付けられるとともに、第２の表示画面に表示される選択画面において、第１または第２のボタンが操作された場合に、第２の表示画面に表示されている第２の編集対象の画像に設定される編集可能範囲が受け付けられ、
、前記第１の表示画面に表示される前記第１の編集対象の画像と、前記第２の表示画面に表示される前記第２の編集対象の画像とが、それぞれ編集される
と訂正する。
　ｅ．特許請求の範囲の記載と発明の詳細な説明の記載との整合をとるため、明りょうでない記載の釈明を目的として、明細書の番号「００１７」の段落に
「本発明の画像印刷装置および方法、並びに記録媒体のプログラムにおいては、被写体が撮影され、撮影された被写体の画像が表示され、表示された画像に対して入力された編集入力が受け付けられる。また、受け付けられた編集入力に基づいて画像が編集され、編集された画像が印刷される。さらに、利用者により選択される、画像の編集可能範囲が受け付けられ、受け付けられた編集可能範囲に基づいて、画像の編集可能範囲が設定される。そして、画像の編集可能範囲に編集入力がされたか否かが判定され、編集可能範囲に編集入力がされたと判定されたとき、編集入力に基づいて画像が編集される。」
とあるのを、
「本発明の画像印刷装置および方法、並びに記録媒体のプログラムにおいては、被写体が撮影され、撮影された被写体の画像が表示され
るとともに、撮影された複数枚の画像の中から、シートに印刷可能な画像の種類の枚数だけ利用者により選択された画像の一覧が表示され、
画像がシートに
一覧と同時に、第１と第２の表示画面のそれぞれに、一覧の中から利用者により選択された編集対象の画像が表示され、第１の表示画面に表示される、編集対象の画像の一部を編集可能範囲に設定するとき操作される第１のボタン、および、全部を編集可能範囲に設定するとき操作される第２のボタンが表示される選択画面において、第１または第２のボタンが操作された場合に、第１の表示画面に表示されている第１の編集対象の画像に設定される編集可能範囲が受け付けられるとともに、第２の表示画面に表示される選択画面において、第１または第２のボタンが操作された場合に、第２の表示画面に表示されている第２の編集対象の画像に設定される編集可能範囲が受け付けられ、編集可能範囲に編集入力がされたと判定されたとき、編集入力に基づいて、第１の表示画面に表示される第１の編集対象の画像と、第２の表示画面に表示される第２の編集対象の画像とが、それぞれ編集される
と訂正する。
　ｆ．特許請求の範囲の記載と発明の詳細な説明の記載との整合をとるため、明りょうでない記載の釈明を目的として、明細書の番号「００１８」の段落に
「本発明の画像印刷装置および方法、並びに記録媒体のプログラムによれば、被写体を撮影し、撮影した被写体の画像を表示し、表示した画像に対して入力した編集入力を受け付ける。また、受け付けた編集入力に基づいて画像を編集し、編集した画像を印刷する。さらに、利用者により選択される、画像の編集可能範囲を受け付け、受け付けた編集可能範囲に基づいて、画像の編集可能範囲を設定する。そして、画像の編集可能範囲に編集入力がされたか否かを判定し、編集可能範囲に編集入力がされたと判定したとき、編集入力に基づいて画像を編集するようにしたので、例えば、撮影した画像に対して落書きを入力する場合、利用者の顔に落書きが重なるのを防ぐことができる。」
とあるのを、
「本発明の画像印刷装置および方法、並びに記録媒体のプログラムによれば、被写体を撮影し、撮影した被写体の画像を表示
するとともに、撮影された複数枚の画像の中から、シートに印刷可能な画像の種類の枚数だけ利用者により選択された画像の一覧を表示
画像をシートに
一覧と同時に、第１と第２の表示画面のそれぞれに、一覧の中から利用者により選択された編集対象の画像を表示し、第１の表示画面に表示される、編集対象の画像の一部を編集可能範囲に設定するとき操作される第１のボタン、および、全部を編集可能範囲に設定するとき操作される第２のボタンが表示される選択画面において、第１または第２のボタンが操作された場合に、第１の表示画面に表示されている第１の編集対象の画像に設定される編集可能範囲を受け付けるとともに、第２の表示画面に表示される選択画面において、第１または第２のボタンが操作された場合に、第２の表示画面に表示されている第２の編集対象の画像に設定される編集可能範囲を受け付け、編集可能範囲に編集入力がされたと判定されたとき、編集入力に基づいて、第１の表示画面に表示される第１の編集対象の画像と、第２の表示画面に表示される第２の編集対象の画像とを、それぞれ編集する
と訂正する。
（５４）【発明の名称】
画像印刷装置および方法、並びに記録媒体
（５７）【特許請求の範囲】
　【請求項１】　被写体を撮影する撮影手段と、
　前記撮影手段により撮影された前記被写体の画像を表示する
とともに、前記撮影手段により撮影された複数枚の画像の中から、シートに印刷可能な画像の種類の枚数だけ利用者により選択された画像の一覧を表示する
　前記表示手段により表示された前記画像に対して入力された編集入力を受け付ける受付手段と、
　前記受付手段により受け付けられた前記編集入力に基づいて前記画像を編集する編集手段と、
　前記編集手段により編集された
画像を前記シートに
　
画像毎に設定可能な編集可能範囲であって、
編集対象の画像に設定される
　前記範囲受付手段により受け付けられた前記編集可能範囲に基づいて、前記編集手段が編集する
編集対象の
　
編集対象の画像に設定された
　を備え、
　
前記表示手段は、前記一覧と同時に、第１と第２の表示画面のそれぞれに、前記一覧の中から利用者により選択された編集対象の画像を表示し、
　
前記範囲受付手段は、前記第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、前記第１の表示画面に表示されている第１の編集対象の画像に設定される前記編集可能範囲を受け付けるとともに、前記第２の表示画面に表示される前記選択画面において、前記第１または第２のボタンが操作された場合に、前記第２の表示画面に表示されている第２の編集対象の画像に設定される前記編集可能範囲を受け付け、
　前記編集手段は、前記判定手段により前記編集可能範囲に前記編集入力がされたと判定されたとき、前記編集入力に基づいて
、前記第１の表示画面に表示される前記第１の編集対象の画像と、前記第２の表示画面に表示される前記第２の編集対象の画像とを、それぞれ編集する
　ことを特徴とする画像印刷装置。
　【請求項２】　前記範囲受付手段は、予め用意された複数種類の前記編集可能範囲の中から、前記利用者により選択された前記編集可能範囲を受け付ける
　ことを特徴とする請求項１に記載の画像印刷装置。
　【請求項３】　前記表示手段は、複数の表示画面を有するとともに、
　前記受付手段は、
　前記複数の表示画面のうちの、第１の表示画面に対応する第１の受付手段と、
　前記複数の表示画面のうちの、第２の表示画面に対応する第２の受付手段と
　を有し、
　前記設定手段は、
　前記第１の表示画面に対応して第１の前記編集可能範囲を設定する第１の設定手段と、
　前記第２の表示画面に対応して第２の前記編集可能範囲を設定する第２の設定手段と
　を有する
　ことを特徴とする請求項１または２に記載の画像印刷装置。
　【請求項４】　前記範囲受付手段は、前記複数の表示画面毎に、前記利用者により選択された前記編集可能範囲を受け付ける
　ことを特徴とする請求項３に記載の画像印刷装置。
　【請求項５】　前記第１の表示画面には、前記第１の設定手段により設定された第１の前記編集可能範囲が表示され、
　前記第２の表示画面には、前記第２の設定手段により設定された第２の前記編集可能範囲が表示される
　ことを特徴とする請求項３または４に記載の画像印刷装置。
　【請求項６】　前記第１の表示画面と第２の表示画面に表示されている前記画像が同一の画像である場合、前記第１の受付手段による編集入力を前記第２の表示画面に反映させるとともに、前記第２の受付手段による編集入力を前記第１の表示画面に反映させる反映手段をさらに備える
　ことを特徴とする請求項３，４または５に記載の画像印刷装置。
　【請求項７】　前記反映手段は、第１の前記編集可能範囲を、前記第２の表示画面に反映させることを禁止し、かつ、第２の前記編集可能範囲を、前記第１の表示画面に反映させることを禁止する
　ことを特徴とする請求項６に記載の画像印刷装置。
　【請求項８】　被写体を撮影する撮影ステップと、
　前記撮影ステップの処理により撮影された前記被写体の画像を表示する
とともに、前記撮影ステップの処理により撮影された複数枚の画像の中から、シートに印刷可能な画像の種類の枚数だけ利用者により選択された画像の一覧を表示する
　前記表示ステップの処理により表示された前記画像に対して入力された編集入力を受け付ける受付ステップと、
　前記受付ステップの処理により受け付けられた前記編集入力に基づいて前記画像を編集する編集ステップと、
　前記編集ステップの処理により編集された
画像を前記シートに
　
画像毎に設定可能な編集可能範囲であって、
編集対象の画像に設定される
　前記範囲受付ステップの処理により受け付けられた前記編集可能範囲に基づいて、前記編集ステップの処理により編集される
編集対象の
　
編集対象の画像に設定された
　を含み、
　
前記表示ステップの処理により、前記一覧と同時に、第１と第２の表示画面のそれぞれに、前記一覧の中から利用者により選択された編集対象の画像が表示され、
　
前記範囲受付ステップの処理により、前記第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、前記第１の表示画面に表示されている第１の編集対象の画像に設定される前記編集可能範囲が受け付けられるとともに、前記第２の表示画面に表示される前記選択画面において、前記第１または第２のボタンが操作された場合に、前記第２の表示画面に表示されている第２の編集対象の画像に設定される前記編集可能範囲が受け付けられ、
　前記編集ステップの処理では、前記判定ステップの処理により前記編集可能範囲に前記編集入力がされたと判定されたとき、前記編集入力に基づいて
、前記第１の表示画面に表示される前記第１の編集対象の画像と、前記第２の表示画面に表示される前記第２の編集対象の画像とが、それぞれ編集される
　ことを特徴とする画像印刷方法。
　【請求項９】　被写体の撮影を制御する撮影制御ステップと、
　前記撮影制御ステップの処理により撮影が制御された前記被写体の画像の表示を制御する
とともに、前記撮影ステップの処理により撮影された複数枚の画像の中から、シートに印刷可能な画像の種類の枚数だけ利用者により選択された画像の一覧の表示を制御する
　前記表示制御ステップの処理により表示が制御された前記画像に対して入力された編集入力を受け付ける受付ステップと、
　前記受付ステップの処理により受け付けられた前記編集入力に基づいて前記画像を編集する編集ステップと、
　
前記編集ステップの処理により編集された画像を前記シートに印刷させる印刷ステップと、
　
画像毎に設定可能な編集可能範囲であって、
編集対象の画像に設定される
　前記範囲受付制御ステップの処理により受け付けられた前記編集可能範囲に基づいて、前記編集ステップの処理により編集される
編集対象の
　
編集対象の画像に設定された
　を含み、
　
前記表示制御ステップの処理により、前記一覧と同時に、第１と第２の表示画面のそれぞれに、前記一覧の中から前記利用者により選択された編集対象の画像が表示され、
　
前記範囲受付制御ステップの処理により、前記第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、前記第１の表示画面に表示されている第１の編集対象の画像に設定される前記編集可能範囲が受け付けられるとともに、前記第２の表示画面に表示される前記選択画面において、前記第１または第２のボタンが操作された場合に、前記第２の表示画面に表示されている第２の編集対象の画像に設定される前記編集可能範囲が受け付けられ、
　前記編集ステップの処理では、前記判定ステップの処理により前記編集可能範囲に前記編集入力がされたと判定されたとき、前記編集入力に基づいて
、前記第１の表示画面に表示される前記第１の編集対象の画像と、前記第２の表示画面に表示される前記第２の編集対象の画像とが、それぞれ編集される
　ことを特徴とするコンピュータが読み取り可能なプログラムが記録されている記録媒体。
　【請求項１０】　被写体を撮影する撮影手段と、
　前記撮影手段により撮影された前記被写体の画像を表示する表示手段と、
　前記表示手段により表示された前記画像に対して入力された編集入力を受け付ける受付手段と、
　前記受付手段により受け付けられた前記編集入力に基づいて前記画像を編集する編集手段と、
　前記編集手段により編集された前記画像を印刷する印刷手段と、
　前記編集手段が編集する前記画像の編集可能範囲を設定する設定手段と、
　前記画像の前記編集可能範囲に編集入力がされたか否かを判定する判定手段とを備え、
　前記編集手段は、前記判定手段により前記編集可能範囲に前記編集入力がされたと判定されたとき、前記編集入力に基づいて前記画像を編集し、
　前記表示手段は、複数の表示画面を有するとともに、
　前記受付手段は、
　前記複数の表示画面のうちの、第１の表示画面に対応する第１の受付手段と、
　前記複数の表示画面のうちの、第２の表示画面に対応する第２の受付手段と
　を有し、
　前記設定手段は、
　前記第１の表示画面に対応して第１の前記編集可能範囲を設定する第１の設定手段と、
　前記第２の表示画面に対応して第２の前記編集可能範囲を設定する第２の設定手段と
　を有し、
　前記第１の表示画面と第２の表示画面に表示されている前記画像が同一の画像である場合、前記第１の受付手段による編集入力を前記第２の表示画面に反映させるとともに、前記第２の受付手段による編集入力を前記第１の表示画面に反映させる反映手段をさらに備え、
　前記反映手段は、第１の前記編集可能範囲を、前記第２の表示画面に反映させることを禁止し、かつ、第２の前記編集可能範囲を、前記第１の表示画面に反映させることを禁止する
　ことを特徴とする画像印刷装置。
【発明の詳細な説明】
　【０００１】
　【発明の属する技術分野】
　本発明は、画像印刷装置および方法、並びに記録媒体のプログラムに関し、特に、撮影画像に対して落書きを入力する場合、例えば、被写体の顔などに落書きが重なるのを防ぐことができるようにした画像印刷装置および方法、並びに記録媒体のプログラムに関する。
　【０００２】
　【従来の技術】
　従来、利用者の画像を撮影し、これを予め用意された背景画像と合成してシール紙などに印刷して出力する画像印刷装置（例えば、プリント倶楽部（商標））が知られている。
　【０００３】
　例えば、特開２０００−６９４０４号公報には、このような画像印刷装置において、撮影し、表示部に表示されている画像上に付属のペンで、文字、図形などを書き込むことができるようにすることが提案されている。この場合、利用者は、自分の撮影画像上に任意の文字、マークなどを書き込んでプリント画像を作成することができる。
　【０００４】
　【発明が解決しようとする課題】
　しかしながら、上述した公報に記載されている画像印刷装置においては、なんの制限もなく、撮影画像上のどこにでも任意の文字などを書き込むことができるために、書き込みが終了して印刷したとき、自分の顔が確認できないものとなってしまうことがあった。
　【０００５】
　【０００６】
　本発明はこのような状況に鑑みてなされたものであり、撮影画像に対して落書きを入力する場合、例えば、被写体の顔などに落書きが重なるのを防ぐことができるようにするものである。
　【０００７】
　【課題を解決するための手段】
　本発明の第１の画像印刷装置は、被写体を撮影する撮影手段と、撮影手段により撮影された被写体の画像を表示する
とともに、撮影手段により撮影された複数枚の画像の中から、シートに印刷可能な画像の種類の枚数だけ利用者により選択された画像の一覧を表示する
画像をシートに
画像毎に設定可能な編集可能範囲であって、
編集対象の画像に設定される
編集対象の
編集対象の画像に設定された
表示手段は、前記一覧と同時に、第１と第２の表示画面のそれぞれに、前記一覧の中から利用者により選択された編集対象の画像を表示し、範囲受付手段は、第１の表示画面に表示される、編集対象の画像の一部を編集可能範囲に設定するとき操作される第１のボタン、および、全部を編集可能範囲に設定するとき操作される第２のボタンが表示される選択画面において、第１または第２のボタンが操作された場合に、第１の表示画面に表示されている第１の編集対象の画像に設定される編集可能範囲を受け付けるとともに、第２の表示画面に表示される選択画面において、第１または第２のボタンが操作された場合に、第２の表示画面に表示されている第２の編集対象の画像に設定される編集可能範囲を受け付け、
、第１の表示画面に表示される第１の編集対象の画像と、第２の表示画面に表示される第２の編集対象の画像とを、それぞれ編集する
　【０００８】
　範囲受付手段は、予め用意された複数種類の編集可能範囲の中から、利用者により選択された編集可能範囲を受け付けるようにすることができる。
　【０００９】
　表示手段は、複数の表示画面を有するとともに、受付手段は、複数の表示画面のうちの、第１の表示画面に対応する第１の受付手段と、複数の表示画面のうちの、第２の表示画面に対応する第２の受付手段とを有し、設定手段は、第１の表示画面に対応して第１の編集可能範囲を設定する第１の設定手段と、第２の表示画面に対応して第２の編集可能範囲を設定する第２の設定手段とを有するようにすることができる。
　【００１０】
　範囲受付手段は、複数の表示画面毎に、利用者により選択された編集可能範囲を受け付けるようにすることができる。
　【００１１】
　第１の表示画面には、第１の設定手段により設定された第１の編集可能範囲が表示され、第２の表示画面には、第２の設定手段により設定された第２の編集可能範囲が表示されるようにすることができる。
　【００１２】
　第１の表示画面と第２の表示画面に表示されている画像が同一の画像である場合、第１の受付手段による編集入力を第２の表示画面に反映させるとともに、第２の受付手段による編集入力を第１の表示画面に反映させる反映手段をさらに備えるようにすることができる。
　【００１３】
　反映手段は、第１の編集可能範囲を、第２の表示画面に反映させることを禁止し、かつ、第２の編集可能範囲を、第１の表示画面に反映させることを禁止するようにすることができる。
　【００１４】
　本発明の画像印刷装置の画像印刷方法は、被写体を撮影する撮影ステップと、撮影ステップの処理により撮影された被写体の画像を表示する
とともに、撮影ステップの処理により撮影された複数枚の画像の中から、シートに印刷可能な画像の種類の枚数だけ利用者により選択された画像の一覧を表示する
画像をシートに
画像毎に設定可能な編集可能範囲であって、
編集対象の画像に設定される
編集対象の
編集対象の画像に設定された
表示ステップの処理により、一覧と同時に、第１と第２の表示画面のそれぞれに、一覧の中から利用者により選択された編集対象の画像が表示され、範囲受付ステップの処理により、第１の表示画面に表示される、編集対象の画像の一部を編集可能範囲に設定するとき操作される第１のボタン、および、全部を編集可能範囲に設定するとき操作される第２のボタンが表示される選択画面において、前記第１または第２のボタンが操作された場合に、第１の表示画面に表示されている第１の編集対象の画像に設定される編集可能範囲が受け付けられるとともに、第２の表示画面に表示される選択画面において、第１または第２のボタンが操作された場合に、第２の表示画面に表示されている第２の編集対象の画像に設定される編集可能範囲が受け付けられ、
、前記第１の表示画面に表示される前記第１の編集対象の画像と、前記第２の表示画面に表示される前記第２の編集対象の画像とが、それぞれ編集される
　【００１５】
　本発明の記録媒体に記録されているプログラムは、被写体の撮影を制御する撮影制御ステップと、撮影制御ステップの処理により撮影が制御された被写体の画像の表示を制御する
とともに、撮影ステップの処理により撮影された複数枚の画像の中から、シートに印刷可能な画像の種類の枚数だけ利用者により選択された画像の一覧の表示を制御する
編集ステップの処理により編集された画像をシートに印刷させる印刷ステップと、画像毎に設定可能な編集可能範囲であって、
編集対象の画像に設定される
編集対象の
編集対象の画像に設定された
表示制御ステップの処理により、一覧とともに、第１と第２の表示画面のそれぞれに、一覧の中から利用者により選択された編集対象の画像が同時に表示され、範囲受付制御ステップの処理により、第１の表示画面に表示される、編集対象の画像の一部を編集可能範囲に設定するとき操作される第１のボタン、および、全部を編集可能範囲に設定するとき操作される第２のボタンが表示される選択画面において、第１または第２のボタンが操作された場合に、第１の表示画面に表示されている第１の編集対象の画像に設定される編集可能範囲が受け付けられるとともに、第２の表示画面に表示される選択画面において、第１または第２のボタンが操作された場合に、第２の表示画面に表示されている第２の編集対象の画像に設定される編集可能範囲が受け付けられ、
、前記第１の表示画面に表示される前記第１の編集対象の画像と、前記第２の表示画面に表示される前記第２の編集対象の画像とが、それぞれ編集される
　【００１６】
　本発明の第２の画像印刷装置は、被写体を撮影する撮影手段と、撮影手段により撮影された被写体の画像を表示する表示手段と、表示手段により表示された画像に対して入力された編集入力を受け付ける受付手段と、受付手段により受け付けられた編集入力に基づいて画像を編集する編集手段と、編集手段により編集された画像を印刷する印刷手段と、編集手段が編集する画像の編集可能範囲を設定する設定手段と、画像の編集可能範囲に編集入力がされたか否かを判定する判定手段とを備え、編集手段は、判定手段により編集可能範囲に編集入力がされたと判定されたとき、編集入力に基づいて画像を編集し、表示手段は、複数の表示画面を有するとともに、受付手段は、複数の表示画面のうちの、第１の表示画面に対応する第１の受付手段と、複数の表示画面のうちの、第２の表示画面に対応する第２の受付手段とを有し、設定手段は、第１の表示画面に対応して第１の編集可能範囲を設定する第１の設定手段と、第２の表示画面に対応して第２の編集可能範囲を設定する第２の設定手段とを有し、第１の表示画面と第２の表示画面に表示されている画像が同一の画像である場合、第１の受付手段による編集入力を第２の表示画面に反映させるとともに、第２の受付手段による編集入力を第１の表示画面に反映させる反映手段をさらに備え、反映手段は、第１の編集可能範囲を、第２の表示画面に反映させることを禁止し、かつ、第２の編集可能範囲を、第１の表示画面に反映させることを禁止することを特徴とする。
　【００１７】
　本発明の画像印刷装置および方法、並びに記録媒体のプログラムにおいては、被写体が撮影され、撮影された被写体の画像が表示され
るとともに、撮影された複数枚の画像の中から、シートに印刷可能な画像の種類の枚数だけ利用者により選択された画像の一覧が表示され
画像がシートに
一覧と同時に、第１と第２の表示画面のそれぞれに、一覧の中から利用者により選択された編集対象の画像が表示され、第１の表示画面に表示される、編集対象の画像の一部を編集可能範囲に設定するとき操作される第１のボタン、および、全部を編集可能範囲に設定するとき操作される第２のボタンが表示される選択画面において、第１または第２のボタンが操作された場合に、第１の表示画面に表示されている第１の編集対象の画像に設定される編集可能範囲が受け付けられるとともに、第２の表示画面に表示される選択画面において、第１または第２のボタンが操作された場合に、第２の表示画面に表示されている第２の編集対象の画像に設定される編集可能範囲が受け付けられ、編集可能範囲に編集入力がされたと判定されたとき、編集入力に基づいて、第１の表示画面に表示される第１の編集対象の画像と、第２の表示画面に表示される第２の編集対象の画像とが、それぞれ編集される
　【００１８】
　本発明の画像印刷装置および方法、並びに記録媒体のプログラムによれば、被写体を撮影し、撮影した被写体の画像を表示
するとともに、撮影された複数枚の画像の中から、シートに印刷可能な画像の種類の枚数だけ利用者により選択された画像の一覧を表示
画像をシートに
一覧と同時に、第１と第２の表示画面のそれぞれに、一覧の中から利用者により選択された編集対象の画像を表示し、第１の表示画面に表示される、編集対象の画像の一部を編集可能範囲に設定するとき操作される第１のボタン、および、全部を編集可能範囲に設定するとき操作される第２のボタンが表示される選択画面において、第１または第２のボタンが操作された場合に、第１の表示画面に表示されている第１の編集対象の画像に設定される編集可能範囲を受け付けるとともに、第２の表示画面に表示される選択画面において、第１または第２のボタンが操作された場合に、第２の表示画面に表示されている第２の編集対象の画像に設定される編集可能範囲を受け付け、編集可能範囲に編集入力がされたと判定されたとき、編集入力に基づいて、第１の表示画面に表示される第１の編集対象の画像と、第２の表示画面に表示される第２の編集対象の画像とを、それぞれ編集する
　【００１９】
　【００２０】
　【００２１】
　【００２２】
　【００２３】
　【００２４】
　【００２５】
　【００２６】
　【００２７】
　【００２８】
　【００２９】
　【００３０】
　【００３１】
　【００３２】
　【００３３】
　【００３４】
　【発明の実施の形態】
　図１は、本発明を適用した画像印刷装置の外観の構成を示している。画像印刷装置１の筐体１０の前面の左右には、上方から下方へ向かってスピーカ１１−１およびスピーカ１１−２、照明装置１２−１および照明装置１２−２、操作パネル１３−１および操作パネル１３−２、操作パネル１３−１および操作パネル１３−２のそれぞれに表示された画像に対して、編集図形、文字などを入力するタッチペン１４−１およびタッチペン１４−２が設けられる。なお、以下において、スピーカ１１−１およびスピーカ１１−２のそれぞれを個々に区別する必要がない場合、まとめてスピーカ１１と、照明装置１２−１および照明装置１２−２のそれぞれを個々に区別する必要がない場合、まとめて照明装置１２と、操作パネル１３−１および操作パネル１３−２のそれぞれを個々に区別する必要がない場合、まとめて操作パネル１３と、タッチペン１４−１およびタッチペン１４−２のそれぞれを個々に区別する必要がない場合、まとめてタッチペン１４と、それぞれ称する。
　【００３５】
　筐体１０のほぼ垂直な面１０Ａに配置されたスピーカ１１は、利用者に対して、硬貨を投入してからの撮影手順の進行を案内するガイダンスや、利用者が操作パネル１３に表示されている自分自身の撮影画像に対して、後述する編集を行う際のガイダンスなどを出力する。
　【００３６】
　筐体１０のほぼ垂直な（若干上方を向いている）面１０Ｂに配置された照明装置１２は、撮影の際のフラッシュとして機能するとともに、筐体１０および利用者を囲む図示せぬ背景幕により外光が遮断されているため、撮影前の状態においても利用者を照明する。
　【００３７】
　照明装置１２−１と照明装置１２−２の間には、利用者を撮影するためのＣＣＤ（Ｃｈａｒｇｅ　Ｃｏｕｐｌｅｄ　Ｄｅｖｉｃｅ）カメラ１５が設けられ、ＣＣＤカメラ１５が撮影している取り込み画像は、ＣＣＤカメラ１５の下方に設けられている撮影画像表示部１６に表示される。ＣＣＤカメラ１５と取り込み画像表示部１６により撮影装置１７が構成され、利用者は、足リモートコントローラ（以下、足リモコン２１と称する）を操作して駆動装置１８の駆動可能範囲内で、撮影装置１７を上下方向に移動させることができる。
　【００３８】
　筐体１０のほぼ水平（若干上方を向いている）な面１０Ｃに配置されている操作パネル１３は、液晶ディスプレイまたはＣＲＴ（Ｃａｔｈｏｄｅ−Ｒａｙ　Ｔｕｄｅ）より構成されるモニタと、その上部に積層されるタッチパネルから構成される。操作パネル１３の近傍には、それぞれタッチペン１４が設けられ、ＣＣＤカメラ１５により撮影された画像が操作パネル１３に表示されるため、利用者は、タッチペン１４を利用して撮影画像に後述する落書き処理を施すことができる。また、操作パネル１３には、撮影画像の他に、画像プリントの作成および印刷処理の進行段階に応じて種々の選択ボタン、メッセージなどが表示され、操作パネル１３に表示された選択ボタンをタッチペン１４を利用して選択することにより撮影手順が進行される。
　【００３９】
　操作パネル１３−１の近傍にタッチペン１４−１が、また、操作パネル１３−２の近傍にはタッチペン１４−２が、それぞれ設けられており、操作パネル１３−１および操作パネル１３−２のそれぞれに表示された撮影画像に、２人の利用者が同時に落書き処理などを入力することができる。なお、操作パネル１３−１と操作パネル１３−２に、異なる撮影画像をそれぞれ表示させることができ、利用者は、別々の撮影画像に対して落書き処理などを入力することもできる。
　【００４０】
　操作パネル１３の下方の筐体１０のほぼ垂直な面１０Ｄには、硬貨投入口１９が設けられている。利用者が所定の代金を硬貨投入口１９に投入すると、撮影手順が開始される。
　【００４１】
　筐体１０の右側面には、シール取出口２０が設けられており、撮影し、画像編集した撮影画像が、所定数に分割されたシールに印刷されて排出される。
　【００４２】
　筐体１０の前方には、筐体１０の幅とほぼ同一の幅の２段の階段２２が設置されている。利用者は、撮影する場合、階段２２を利用して、様々なポーズを取って、自分自身を撮影することができる。
　【００４３】
　図２は、画像印刷装置１の構成例を示すブロック図である。なお、図１と対応する部分には、同一の符号を付してある。
　【００４４】
　ＣＰＵ（Ｃｅｎｔｏｒａｌ　Ｐｒｏｃｅｓｓｉｎｇ　Ｕｎｉｔ）３１は、ＲＯＭ（Ｒｅａｄ　Ｏｎｌｙ　Ｍｅｍｏｒｙ）３２に記憶されているプログラムに従って、全体の動作、処理を制御する。すなわち、各処理部は、バス３０を介してＣＰＵ３１に接続され、制御される。
　【００４５】
　ＲＡＭ（Ｒａｎｄｏｍ　Ａｃｃｅｓｓ　Ｍｅｍｏｒｙ）３３は、ＣＰＵ３１の作業用データを記憶するとともに、各処理部において利用者が行った選択、指示などを一時的に記憶する。
　【００４６】
　ドライバ３４は、図示せぬＣＤ−ＲＯＭ（Ｃｏｍｐａｃｔ　Ｄｉｓｋ−Ｒｅａｄ　Ｏｎｌｙ　Ｍｅｍｏｒｙ）などの記録媒体を駆動し、記録情報を読み出す。ＣＤ−ＲＯＭなどの記録媒体には、撮影処理、落書き処理などを含む種々の処理を行うためのプログラムが記録されており、それらのプログラムは実行時に、ＲＡＭ３３に転送されて実行される。また、ＣＤ−ＲＯＭには、音声のガイダンスデータが記録されており、音声出力装置４０−１は、ＣＰＵ３１の指示に基づいてＣＤ−ＲＯＭに記録されているガイダンスデータを読み出してスピーカ１１−１に出力する。スピーカ１１−１が利用者に対して出力するガイダンスには、操作方法や、撮影直前のカウントダウンなどがある。スピーカ１１−２にも、スピーカ１１−１の出力処理と同様の処理が実行されて、メインの操作パネル１３−１からの入力に応じて音声ガイダンスが出力される。なお、音声出力装置４０−１と、音声出力装置４０−２は、それぞれ操作パネル１３−１と操作パネル１３−２からの入力に対応して、異なる音声ガイダンスを出力させるようにすることもできる。
　【００４７】
　硬貨処理部３５は、硬貨投入口１９から投入された硬貨の金額を検出し、所定の代金が投入されたと検出した場合、その旨をＣＰＵ３１に通知する。
　【００４８】
　プリンタ３６は、画像シールを作成する部分であり、ＣＣＤカメラ１５により撮影され、後述の落書き処理などが施された後の画像（プリントすべきとして確定した画像、以下、プリント画像と称する）をシール紙などに印刷し、出力する。プリンタ３６は、利用者が選択したプリント画像を、指定された分割単位（後述する図１２参照）で剥がせるようなシールシート上に印刷する。なお、利用者は、１枚のシールシート上に、数種類のプリント画像を選択して印刷させることができる。
　【００４９】
　表示プロセッサ３７−１は、ＣＰＵ３１からの指示に基づいて撮影手順の案内画面をモニタ３９−１に表示させる。表示プロセッサ３７−１は、内部にＣＣＤカメラ１５の撮影画像を記憶するためのフレームバッファを有する。フレームバッファは、デュアルポートメモリにより構成され、それぞれの領域が一枚分の撮影画像を記憶できる２つの領域に分けて使用される。フレームバッファの第１の領域には、ＣＣＤカメラ１５からの取り込み画像が入力され、撮影後は、撮影した画像（利用者がフレーム画像を選択した場合には、撮影画像とフレーム画像）が記憶される。
　【００５０】
　一方、第２の領域は、落書き処理や明るさ調整などの編集処理において使用される記憶領域であり、撮影が終了した時点では、第１の領域と同一の撮影画像が記憶される。すなわち、編集処理において、利用者がタッチペン１４−１を利用して落書きを入力すると、その入力データが第２の領域内に書き込まれる。なお、利用者は、消しゴム処理を指定することにより、１度付加した落書きを消去し、元の画像に戻すことができる。その場合、表示プロセッサ３７−１は、その消しゴムで指定された部分の画像データを第１の領域から読み出し、第２の領域に書き込ことにより、利用者が消しゴムで指定した部分を、落書き処理を行う前の撮影画像にもどす。
　【００５１】
　操作パネル１３−１は、モニタ３９−１上に、透明なタッチパネル３８−１が積層されて構成されており、モニタ３９−１には、上記の表示プロセッサ３７−１のフレームバッファの第２の領域に記憶されたデータが表示される。したがって、利用者が落書きなどを入力している最中は、落書きなどが施された撮影画像が、モニタ３９−１に表示される。
　【００５２】
　タッチパネル３８−１は、タッチペン１４−１からの入力を検出する。すなわち、利用者は、モニタ３９−１に表示された選択ボタンをタッチペン１４−１を用いて選択したり、モニタ３９−１に表示された撮影画像に対して、その上に落書きなどを行う。タッチペン１４−１による入力データは、タッチパネル３８−１により検出され、入力データとして表示プロセッサ３７−１のフレームバッファの第２の領域に書き込まれる。
　【００５３】
　表示プロセッサ３７−２、タッチパネル３８−２、およびモニタ３９−２の構成は、それぞれ、表示プロセッサ３７−１、タッチパネル３８−１、およびモニタ３９−１と同様の構成であるため、その構成の説明は、省略する。以下、表示プロセッサ３７−１と表示プロセッサ３７−２を個々に区別する必要がない場合、まとめて表示プロセッサ３７と、タッチパネル３８−１とタッチパネル３８−２を個々に区別する必要がない場合、まとめてタッチパネル３８と、モニタ３９−１とモニタ３９−２のそれぞれを個々に区別する必要がない場合、まとめてモニタ３９と、それぞれ称する。
　【００５４】
　次に、図３および図４のフローチャートを参照して、画像印刷装置１の印刷処理について説明する。また、各ステップの処理を説明する際、必要に応じて、図５乃至図１３に示す操作パネル１３の表示例を参照する。なお、図５において、例えば、左側に示す図５（Ａ）を操作パネル１３−１の表示例とし、右側に示す図５（Ｂ）を操作パネル１３−１の表示例とする。図６乃至図１３の表示例においても、図５の構成と同様とする。また、図に示されている各種ボタンを説明する場合、同一機能を有するボタンには、同一符号を付してあり、説明が重複するものについては、その説明を適宜省略する。
　【００５５】
　ステップＳ１において、表示プロセッサ３７は、ＣＰＵ３１からの指示に基づいて操作パネル１３にデモ画面を表示する。操作パネル１３−１のモニタ３９−１には、例えば、図５（Ａ）に示されるデモ画面が表示され、操作パネル１３−２のモニタ３９−２には、例えば、図５（Ｂ）に示されるようなデモ画面が表示される。デモ画面のデータは、図示せぬＣＤ−ＲＯＭからドライバ３４により読み込まれ、バス３０を介して表示プロセッサ３７に転送される。
　【００５６】
　ステップＳ２において、ＣＰＵ３１は、硬貨処理部３５からの通知に基づいて、代金が投入されたか否かを判定する。ＣＰＵ３１は、代金が硬貨投入口１９に投入されたと判定するまで表示プロセッサ３７に対して、デモ画面（図５）を表示することを指示し、代金が投入されたと判定した場合、処理はステップＳ３に進む。
　【００５７】
　ステップＳ３において、表示プロセッサ３７は、ＣＰＵ３１からの指示に基づいて、操作パネル１３に撮影手順の説明画面を表示する。操作パネル１３−１には、例えば、図６（Ａ）および図６（Ｂ）に示されるような説明画面が表示され、操作パネル１３−２には、例えば、図６（Ｃ）に示されるような説明画面が表示される。図６（Ｂ）に示される操作パネル１３−２は、ＣＣＤカメラ１５がリアルタイムで撮影している取り込み画像が表示され、図６（Ａ）および図６（Ｂ）に示される操作パネル１３−１には、操作パネル１３−２に表示されているＣＣＤカメラ１５の取り込み画像の設定方法を説明する画面が表示されている。
　【００５８】
　図６（Ａ）の表示例においては、取り込み画像を横長に表示するか、または縦長に表示するかの表示切換ボタン５０、ＣＣＤカメラ１５のズーム機能を調整するズーム調整ボタン５１、およびＣＣＤカメラ１５が取り込む光量を調整する明るさ調整ボタン５３が表示されている。また、足リモコン２１を操作して、ＣＣＤカメラ１５を含む撮影装置１７を上下方向に移動できることが表示されている。利用者は、この説明画面に応じて、タッチペン１４−１を利用して操作パネル１３−１に表示されている上記ボタンを操作し、取り込み画像を設定する。図６（Ｂ）においては、アップ撮影を説明するデモ画面と、その明るさを調整する明るさ調整ボタン５３が表示されている。
　【００５９】
　ＣＣＤカメラ１５により撮影されている（取り込まれている）取り込み画像は、バス３０を介して表示プロセッサ３７に転送されるとともに、取り込み画像表示部１６に転送されて、表示される。すなわち、ここに動画像が表示される。また、図６（Ａ）および図６（Ｂ）に表示される説明画面にあわせて、音声出力装置４０は、スピーカ１１から音声ガイダンスを出力する。
　【００６０】
　ステップＳ４において、表示プロセッサ３７は、ＣＰＵ３１からの指示に基づいて操作パネル１３に取り込み画像を表示する。操作パネル１３−１には、例えば、図７（Ａ）に示すように、ＣＣＤカメラ１５が撮影している取り込み画面が表示される。既に撮影した撮影画像のうち、利用者が後述するキープボタンを操作してキープ画像を選択している場合、操作パネル１３−２には、図７（Ｂ）に示すように、キープ画像が表示される。なお、利用者は、１枚のシールシートに最大４種類の撮影画像をプリントできるので、最大４種類の画像をキープすることができる。
　【００６１】
　利用者は、操作パネル１３−２に表示されている撮影画像からタッチペン１４−２で指定することにより、既に撮影した画像を削除することができる。また、操作パネル１３−１および、操作パネル１３−２のそれぞれには、撮影開始ボタン６１が表示されるとともに、撮影までの残り時間を示す残り時間メータ６２が表示されている。
　【００６２】
　ステップＳ５において、ＣＰＵ３１は、タッチパネル３８からの通知に基づいて、撮影開始ボタン６１が操作されたか否かを判定する。ＣＰＵ３１は、撮影開始ボタン６１が操作されたと判定するまで取り込み画像を表示させて待機し、いずれかのタッチパネル３８の入力から撮影開始ボタン６１が操作されたと判定した場合、処理はステップＳ６に進む。
　【００６３】
　ステップＳ６において、表示プロセッサ３７は、撮影前のカウントダウン画面を表示する。操作パネル１３−１には、例えば、図８（Ａ）のようなカウントダウン画面が表示される。表示プロセッサ３７−１は、ＣＰＵ３１からの指示に基づいて、画面左側に表示されているカウントダウンインジゲータ７１の１番上の表示から点灯を開始する。ＣＣＤカメラ１５は、カウントダウンインジゲータ７１の１番下の表示が点灯されたとき、撮影を実行する。操作パネル１３−２にも、カウントダウンインジゲータ７１が表示されており、表示プロセッサ３７−２は、表示プロセッサ３７−１の処理と同様に点灯させる。また、カウントダウンインジゲータ７１の点灯に合わせて、音声出力装置４０は、スピーカ１１から音声ガイダンスによるカウントダウンを出力する。
　【００６４】
　また、ＣＣＤカメラ１５の取り込み画像は、ＣＣＤカメラ１５の下方に設けられている撮影画像表示部１６にも表示される。これにより、利用者は、操作パネル１３に視線を向けることなく、ＣＣＤカメラ１５に視線を合わせて撮影することができる。
　【００６５】
　ステップＳ７において、表示プロセッサ３７は、ＣＰＵ３１からの指示に基づいて、操作パネル１３に印刷写真選択画面を表示する。操作パネル１３−１には、図９（Ａ）に示すように、それまでに撮影した撮影画像のうち、プリントする（キープする）画像を選択するために表示され、利用者は、タッチペン１４−１でカーソルを移動して、キープ画像（印刷する画像）を選択する。また、操作パネル１３−２には、図９（Ｂ）に示すように、操作パネル１３−１に表示されている撮影画像から、選択された画像が拡大して表示される。利用者は、操作パネル１３−２に表示されているプリントボタン９２を操作し、撮影画像をプリント（キープ）するか、削除ボタン９３を操作して撮影画像を削除するかを選択することができる。ＣＰＵ３１は、タッチパネル３８−２からの通知に基づいて、利用者がプリントボタン９２を操作したと判定した場合、処理はステップＳ８に進む。
　【００６６】
　ステップＳ８において、表示プロセッサ３７は、ＣＰＵ３１からの指示に基づいて、操作パネル１３に明るさ調整画面を表示する。操作パネル１３−１には、図１０（Ａ）に示すように、ステップＳ７の処理で印刷することが選択された撮影画像が表示され、その画像の明るさを調整するとき操作される明るさ調整ボタン５３、シールに加工しないとき操作される写真風ボタン１０１、シールシートにプリントするとき操作されるシール風ボタン１０２、横方向に表示されているキープ画像を縦方向に表示を変更するとき操作される表示切換ボタン５０、表示されている画像を削除して再び撮影するとき操作されるとりなおしボタン１０３、編集対象の画像として残しておくとき操作されるキープボタン１０４が表示されている。
　【００６７】
　操作パネル１３−２には、図１０（Ｂ）に示すように、利用者がキープボタン１０４を操作することにより、編集対象の画像として選択したキープ画像が表示される。図１０（Ｂ）の表示例においては、キープ画像として、既に３枚選択されているので、残り撮影可能枚数ウインドウ１１０に「残り１枚」と表示されている。また、操作パネル１３−２には、削除ボタン９３が表示されており、利用者は、これを操作して、選択したキープ画像を削除することができる。さらに、操作パネル１３−２には、撮影終了ボタン１１１が表示されており、利用者は、キープ画像を４枚選択する前でも、次に進むことができる。操作パネル１３−１および操作パネル１３−２には、残り時間メータ６２に明るさ調整の制限時間が表示されている。
　【００６８】
　ステップＳ９において、ＣＰＵ３１は、明るさ調整画面（図１０（Ａ））でとりなおしボタン１０３が操作されたか否かを判定する。ＣＰＵ３１は、タッチパネル３８−１からの通知に基づいてとりなおしボタン１０３が操作されたと判定した場合、ステップＳ４に戻り、それ以降の処理が繰り返し実行される。
　【００６９】
　ステップＳ９において、ＣＰＵ３１は、明るさ調整画面（図１０（Ａ））でとりなおしボタン１０３が操作されていないと判定した場合、ステップＳ１０の処理に進む。
　【００７０】
　ステップＳ１０において、ＣＰＵ３１は、明るさ調整画面（図１０（Ａ））でキープボタン１０４が操作されたか否かを判定する。ＣＰＵ３１は、キープボタン１０４が操作されたと判定した場合、ステップＳ１１において、キープすることが選択された撮影画像をキープ画像に追加する。
　【００７１】
　ステップＳ１２において、ＣＰＵ３１は、表示プロセッサ３７に問い合わせ、残り撮影可能枚数が０か否か（４種類のキープ画像が選択されたか否か）を判定する。ＣＰＵ３１は、残り撮影可能枚数が０でない（まだ撮影可能である）と判定した場合、処理はステップＳ４に戻り、それ以降の処理が繰り返し実行される。
　【００７２】
　ＣＰＵ３１は、ステップＳ１２において、残り撮影可能枚数が０であると判定した場合、並びに、ステップＳ１０でキープボタン１０４が操作されていないと判定された場合、ステップＳ１３の処理に進む。
　【００７３】
　ステップＳ１３において、ＣＰＵ３１は、タッチパネル３８−２からの通知に基づいて、操作パネル１３−２に表示されている撮影終了ボタン１１１（図１０（Ｂ））が操作されたか否かを判定する。ＣＰＵ３１は、撮影終了ボタン１１１が操作されていないと判定した場合、ステップＳ８の処理に戻り、明るさ調整画面の表示を続ける。
　【００７４】
　ステップＳ１３において、ＣＰＵ３１は、撮影終了ボタン１１１が操作されたと判定した場合、ステップＳ１４の処理に進む。また、ＣＰＵ３１は、ステップＳ１２の処理で、残り撮影可能枚数が０と判定すると、利用者に対して撮影終了ボタンしか操作できなくするので、この場合も処理はステップＳ１４に進む。
　【００７５】
　ステップＳ１４において、表示プロセッサ３７は、ＣＰＵ３１からの指示に基づいて、操作パネル１３に落書き画面を表示する。落書き画面は、例えば、図１１（Ａ）および図１１（Ｂ）に示すように表示される。図１１の例では、操作パネル１３−１と操作パネル１３−２で、異なった落書き対象のキープ画像が選択されている。利用者は、落書き対象のキープ画像を、操作パネル１３の右側のキープ画像一覧ウインドウ１２１に表示されているキープ画像の中から、所定のキープ画像をタッチペン１４で選択することで、変更することができる。
　【００７６】
　操作パネル１３の左側には、様々な落書き処理のツールを表示させるとき操作される落書きメニューボタン１２３、実行した処理を再び繰り返すとき操作されるくりかえしボタン１２４、落書きを消去するとき操作される消しゴムボタン１２５、後に詳述する落書き可能範囲を選択するとき操作されるクロマキボタン１２６、および落書き処理を終了してプリントを開始するとき操作されるプリントボタン１２７が表示されている。また、画面上方には、落書きする文字や図形の色を選択するとき操作される色パレットボタン１２８、落書きする線の太さを設定するとき操作されるライン選択ボタン１２９が表示されている。また、落書き処理には、制限時間が設定されており、ＣＰＵ３１は、制限時間が経過したと認識した場合、強制的に次の画面を表示する。制限時間は、残り時間表示ウインドウ１２２に表示されている。
　【００７７】
　なお、落書き処理には、操作パネル１３−１と１３−２の一方から入力された落書き処理が他方の処理に反映される反映処理や、落書き可能範囲を制限する処理があるが、その処理については後述する。
　【００７８】
　ステップＳ１４の落書き処理において、ＣＰＵ３１は、プリントボタン１２７が操作されたか、または、制限時間が経過したと判定した場合、処理はステップＳ１５に進む。
　【００７９】
　ステップＳ１５において、表示プロセッサ３７は、ＣＰＵ３１からの指示に基づいて、操作パネル１３に分割数選択画面を表示する。操作パネル１３−１および操作パネル１３−２には、例えば、図１２（Ａ）および図１２（Ｂ）に示すように、「７×４」、「上半分２×２と下半分３×４の組み合わせ」、「４×２」、「２×２」の分割数選択画面が表示される。利用者は、好みの分割数（プリントサイズ）のシートをタッチペン１４で選択することができる。ＣＰＵ３１は、タッチパネル３８からの通知に基づいてプリンタ３６にプリントするシート（写真シートまたはシールシート）を指示する。
　【００８０】
　ステップＳ１６において、表示プロセッサ３７は、ＣＰＵ３１からの指示に基づいて、プリントしたシールが横から排出されることを案内する案内画面を、操作パネル１３−１および操作パネル１３−２に、例えば、図１３（Ａ）および図１３（Ｂ）に示すように表示させる。その後、処理はステップＳ１に戻る。
　【００８１】
　画像印刷装置１においては、操作パネル１３が２つ設けられているため、２人の利用者が分担して画像編集を入力することができる。そのため、例えば、図４のステップＳ１４の処理で表示される落書き画面において、複数の利用者が、１つの画像に対して、同時に落書きを入力することができる。次に、図１４および図１５のフローチャートを参照して、タッチパネル３８−１（以下、タッチパネルＡとも称する）から入力された落書きを、タッチパネル３８−２（以下、タッチパネルＢとも称する）から入力された落書きとして、または、タッチパネル３８−２から入力された落書きを、タッチパネル３８−１から入力された落書きとして反映させる反映処理について説明する。
　【００８２】
　ステップＳ３１において、ＣＰＵ３１は、タッチパネルＡから落書きが入力されたか否かを判定する。利用者がタッチペン１４−１を利用して落書きを入力した場合、ＣＰＵ３１は、落書きが入力されたと判定し、ステップＳ３２の処理に進む。
　【００８３】
　ステップＳ３２において、ＣＰＵ３１は、編集対象の画像として、モニタ３９−１（以下、モニタＡとも称する）とモニタ３９−２（以下、モニタＢとも称する）で同じキープ画像が表示されているか否かを判定する。操作パネル１３−１の利用者と操作パネル１３−２の利用者が編集対象の画像として同一のキープ画像を選択している場合、ＣＰＵ３１は、モニタＡとモニタＢで同じキープ画像が表示されていると認識し、ステップＳ３３の処理に進む。
　【００８４】
　ステップＳ３３において、ＣＰＵ３１は、タッチパネルＡから入力された落書きと、タッチパネルＢから入力された落書きが、表示プロセッサ３７−１（以下、表示プロセッサＡとも称する）と表示プロセッサ３７−２（以下、表示プロセッサＢとも称する）のフレームバッファの第２の領域に記憶されている画像の同じ位置に、同時に入力されたか否かを判定する。ＣＰＵ３１は、タッチパネルＡから入力された落書きと、タッチパネルＢから入力された落書きが同時に同じ位置に入力されたと判定した場合、ステップＳ３４の処理に進む。
　【００８５】
　ステップＳ３４において、表示プロセッサＡは、ＣＰＵ３１からの指示に基づいて、タッチパネルＡから落書きが入力された位置と同じ位置に、１個の大きな星の図形をモニタＡに表示する。また、表示プロセッサＢも、ＣＰＵ３１からの指示に基づいて、タッチパネルＢから落書きが入力された位置と同じ位置に、１個の大きな星の図形をモニタＢに表示する。
　【００８６】
　図１６は、落書き画面において、ステップＳ３４の処理で表示される操作パネル１３の表示例を示している。図１６（Ａ）は、操作パネル１３−１の表示を、図１６（Ｂ）は、操作パネル１３−２の表示をそれぞれ示している。この例においては、キープ画像の左上方にタッチパネルＡとタッチパネルＢから同時に落書きが入力されたことを示している。
　【００８７】
　ステップＳ３４において、星の図形を表示させた後、ＣＰＵ３１は、ステップＳ３１の処理に戻る。
　【００８８】
　一方、ステップＳ３３において、ＣＰＵ３１は、タッチパネルＡから入力された落書きと、タッチパネルＢから入力された落書きが、表示プロセッサＡと表示プロセッサＢのフレームバッファの第２の領域に記憶されている画像情報の同じ位置に、同時に入力されていないと判定した場合、ステップＳ３５の処理に進む。
　【００８９】
　ステップＳ３５において、ＣＰＵ３１は、タッチパネルＡから落書きが入力された位置は、既に、タッチパネルＢから落書きが入力されている位置か否かを、表示プロセッサＢのフレームバッファの第２の領域の記憶状況を確認することにより判定する。ＣＰＵ３１は、タッチパネルＡから落書きが入力された位置には、既に、タッチパネルＢから落書きが入力されていると判定した場合、ステップＳ３６の処理に進む。
　【００９０】
　ステップＳ３６において、表示プロセッサＡは、ＣＰＵ３１からの指示に基づいて、タッチパネルＡから落書きが入力された位置と同じ位置に、８個の小さな星の図形をモニタＡに表示する。また、表示プロセッサＢも、表示プロセッサＡと同じ位置に、モニタＢに星の図形を表示する。
　【００９１】
　図１７は、落書き画面において、ステップＳ３６の処理で表示される操作パネル１３の表示例を示している。図１７（Ａ）は、操作パネル１３−１の表示を、図１７（Ｂ）は、操作パネル１３−２の表示をそれぞれ示している。この例においては、キープ画像の左下方にタッチパネルＡから落書きが入力されたが、その位置には、図１７（Ｂ）に示すように、既に落書きが入力されているため、図１７（Ａ）に示すように、８個の小さな星の図形が表示される。
　【００９２】
　図１６および図１７に示すように、利用者が意図していない（入力していない）図形を表示させることにより、ゲーム性が高くなり、利用者は、楽しみながら落書きを入力することができる。なお、表示させる記号は星に限られるものではない。また、星が表示されると同時に、スピーカ１１から効果音が出力されるようにしても良い。
　【００９３】
　ステップＳ３６において、星を表示させた後、ＣＰＵ３１は、ステップＳ３１の処理に戻る。
　【００９４】
　一方、ステップＳ３５において、ＣＰＵ３１は、タッチパネルＡから落書きが入力された位置には、タッチパネルＢから落書きが入力されていないと判定した場合、ステップＳ３７の処理に進む。また、ステップＳ３２において、ＣＰＵ３１は、編集対象の画像として、モニタＡとモニタＢで同じキープ画像が表示されていないと判定した場合、ステップＳ３７の処理に進む。
　【００９５】
　ステップＳ３７において、表示プロセッサＡは、ＣＰＵ３１からの指示に基づいて、タッチパネルＡから入力された落書きを処理する。すなわち、タッチパネルＡから入力された落書きを、フレームバッファの第２の領域に記憶させる。
　【００９６】
　ステップＳ３８において、表示プロセッサＡは、ＣＰＵ３１からの指示に基づいて、ステップＳ３７の処理でフレームバッファの第２の領域に記憶させたキープ画像（落書きが施された画像）をモニタＡに表示させる。
　【００９７】
　ステップＳ３９において、ＣＰＵ３１は、タッチパネルＡから入力され、ステップＳ３８の処理でモニタＡに表示させた落書きを、モニタＢにも反映させる（表示させる）必要があるか否かを判定する。すなわち、ＣＰＵ３１は、編集対象のキープ画像としてモニタＡとモニタＢで同じ画像が選択されている場合、モニタＢにもタッチパネルＡからの入力を反映して表示させる必要があると判定し、ステップＳ４０の処理に進む。
　【００９８】
　ステップＳ４０において、表示プロセッサＢは、ＣＰＵ３１からの指示に基づいて、ステップＳ３７の処理で表示プロセッサＡのフレームバッファの第２の領域に記憶された落書き情報を、自らのフレームバッファの第２の領域に記憶させ、記憶させた画像情報をモニタＢに表示させる。その後、処理はステップＳ４１に進む。
　【００９９】
　ステップＳ３９において、ＣＰＵ３１は、タッチパネルＡから入力された落書きを、モニタＢにも反映させる（表示させる）必要がないと判定した場合、ステップＳ４１の処理に進む。また、ステップＳ３１において、ＣＰＵ３１は、タッチパネルＡから落書きが入力されていないと判定した場合、ステップＳ４１の処理に進む。
　【０１００】
　ステップＳ４１乃至ステップＳ５０の処理は、ステップＳ３１乃至ステップＳ４０の処理と同様の処理である。すなわち、タッチパネルＡとタッチパネルＢで、落書き対象の画像として、同じキープ画像が選択されており、同じ落書き処理が同時に入力された場合、ステップＳ３４の処理と同様に星を表示し、また、タッチパネルＢから落書きが入力された位置には、既にタッチパネルＡから落書きが入力されている場合、ステップＳ３６の処理と同様に、星を表示する。さらに、ＣＰＵ３１は、タッチパネルＢから入力され、モニタＢに表示されている落書きを、モニタＡに反映させて表示させる必要があると判定した場合、ステップＳ４０の処理と同様に、反映処理を行う。
　【０１０１】
　ステップＳ４１において、タッチパネルＢから落書きが入力されていないと判定された場合、ステップＳ４９において、タッチパネルＢから入力された落書きを、モニタＡに反映させる必要がないと判定された場合、または、ステップＳ５０の処理が完了した場合、ステップＳ５１の処理に進む。
　【０１０２】
　ステップＳ５１において、ＣＰＵ３１は、落書き処理の制限時間が経過したか否か、または、プリントボタン１２７が操作されたか否かを判定する。ＣＰＵ３１は、落書き処理の制限時間が経過しておらず、かつ、プリントボタン１２７が操作されていないと判定した場合、ステップＳ３１の処理に戻り、それ以降の処理が繰り返し実行される。
　【０１０３】
　ステップＳ５１において、ＣＰＵ３１は、落書き処理の制限時間が経過したか、または、プリントボタン１２７が操作されたと判定した場合、図１３および図１４のフローチャートの処理を終了し、図４のステップＳ１５の処理に戻る。
　【０１０４】
　本発明を適用した画像印刷装置１においては、利用者は、落書きを入力する場合、落書き可能な範囲を予め制限することで、自分の顔に落書きをしないように設定することができる。次に、図１８のフローチャートを参照して、落書き範囲制限処理について説明する。図１１に示す落書き画面において、クロマキボタン１２６が操作されたとき、図１８のフローチャートの処理が開始される。
　【０１０５】
　ステップＳ６１において、ＣＰＵ３１は、クロマキボタン１２６が操作されたことに応じて、落書き可能範囲のメニュー画面を表示する。図１９は、このようにして表示される落書き可能範囲のメニュー画面を示している。図１９においては、落書き可能範囲を選択するとき操作される選択ボタン１３１、選択ボタン１３２、選択ボタン１３３の３種類が表示されている。選択ボタン１３１、選択ボタン１３２、選択ボタン１３３のそれぞれには、落書きができる範囲と、できない範囲の例が表示されており、落書きができる範囲は白で、落書きができない範囲は、斜線で表示されている。利用者は、タッチペン１４でカーソルを移動させることにより所定の選択ボタンを選択する。なお、利用者は、画面の下方に表示されているスクロールボタン９２を操作することにより、他の選択ボタンを表示させることができる。
　【０１０６】
　選択ボタン１３１は、落書き対象として選択したキープ画像のどこにでも落書き可能とするとき操作される。選択ボタン１３１の右側には、「どこでもらくがきできるよ」のメッセージが表示されている。選択ボタン１３２は、落書きの対象として選択したキープ画像のうち、斜線部以外の比較的広い範囲（白の範囲）を落書き可能とするとき操作される。選択ボタン１３２の右側には、「白いところだけらくがきできるよ」のメッセージが表示されている。選択ボタン１３３は、落書きの対象として選択したキープ画像のうち、斜線部以外の比較的狭い範囲（白の範囲）を落書き可能とするとき操作される。選択ボタン１３３の右側には、「白いところだけらくがきできるよ（Ｂよりちょっとらくがきの範囲が狭いよ）」のメッセージが表示されている。以下、図示は省略するが、選択ボタン１３１，１３２，１３３以外に、さらに３個の選択ボタン１３４，１３５，１３６が用意されており、スクロールボタン９１を操作することで表示させることができる。
　【０１０７】
　図２０は、落書き可能範囲の設定の例を示す図である。図２０（Ａ）は、表示プロセッサ３７のフレームバッファの第１の記憶領域に記憶されたＲ，Ｇ，Ｂの画素値を表している。なお、画素値は、０００乃至２５５のいずれかの値となる。この例では、暗いエリア（Ｒ，Ｇ，Ｂの画素値が全て閾値より小さいエリア）が落書き可能とされる。その閾値としては、選択ボタン１３１乃至１３６に対応して、２５５（Ａ），１８０（Ｂ），１２８（Ｃ），７０（Ｄ），５０（Ｅ），０（Ｆ）の値が設定されている。
　【０１０８】
　従って、図２０（Ａ）に示すＲ，Ｇ，Ｂの値を有する各画素に対して、図２０（Ｂ）に示すように、閾値Ａ乃至Ｆが適用される。閾値Ａが適用される場合、全ての画素（エリア）に落書きが可能となる。逆に、閾値Ｆが適用される場合、実質的に、全ての画素（エリア）が落書き不可とされる。
　【０１０９】
　ステップＳ６２において、表示プロセッサ３７は、ＣＰＵ３１からの指示に基づいて、モニタ３９に表示されている落書き対象のキープ画像に、落書き可能範囲を重ねて表示する。図２１は、表示プロセッサ３７が、落書き可能範囲を表示させたモニタ３９の表示例を示している。図２１において、落書きの対象は、図１１に示すキープ画像であり、落書き不可の範囲（利用者の顔に対応する範囲）を斜線部で示しており、それ以外の部分は落書き可能範囲とされている。
　【０１１０】
　通常、利用者の背景には幕が配置されるので、利用者の顔が最も明るくなり、その周囲は暗くなる。そこで、上述したように、所定の閾値より暗いエリアに落書き可能とすることで、利用者の顔に不用意に落書きがされてしまうようなことが抑制される。所定の閾値より明るいエリアに落書き可能とすると、このようなことが抑制できないことになる。
　【０１１１】
　ステップＳ６３において、ＣＰＵ３１は、タッチパネル３８からの通知に基づいて、落書きが入力されたか否かを判定する。ＣＰＵ３１は、落書きが入力されたと判定するまで待機し、落書きが入力されたと判定した場合、ステップＳ６４の処理に進む。
　【０１１２】
　ステップＳ６４において、ＣＰＵ３１は、表示プロセッサ３７のフレームバッファの第１の領域に記憶されている各画素値と閾値とを比較して、落書きが入力された位置は、落書きが可能な範囲であるか（画素値が選択された閾値と等しいか、それより小さいか）否かを判定する。ＣＰＵ３１は、落書き可能範囲であると判定した場合、ステップＳ６５の処理に進む。
　【０１１３】
　ステップＳ６５において、ＣＰＵ３１は、落書きが入力された位置に対応するフレームバッファの第２の領域の画像データを、入力された落書きの情報で更新し、モニタ３９に表示する。
　【０１１４】
　一方、ステップＳ６４において、ＣＰＵ３１は、落書きが入力された位置は、落書きが禁止されている（画素値の値が閾値より大きい）範囲であると判定した場合、ステップＳ６６の処理に進む。
　【０１１５】
　ステップＳ６６において、表示プロセッサ３７は、ＣＰＵ３１からの指示に基づいて入力された落書きを表示しない。すなわち、フレームバッファの第２の記憶領域の画像データは更新されずに、そのままのデータが保持される。
　【０１１６】
　ステップＳ６７において、ＣＰＵ３１は、落書き処理の制限時間が経過したか否か、または、プリントボタン１２７が操作されたか否かを判定する。ＣＰＵ３１は、落書き処理の制限時間がまだ経過しておらず、かつ、プリントボタン１２７が操作されていないと判定した場合、ステップＳ６３の処理に戻り、それ以降の処理が繰り返し実行される。
　【０１１７】
　ステップＳ６７において、ＣＰＵ３１は、落書き処理の制限時間が経過した、または、プリントボタン１２７が操作されたと判定した場合、処理を終了する。
　【０１１８】
　なお、図１８のフローチャートに示す処理は、操作パネルが１つだけ設けられている画像印刷装置に適用しても良い。
　【０１１９】
　以上においては、２つの操作パネル１３が設けられている画像印刷装置について説明したが、設置場所の可能な範囲で、操作パネル１３を２つ以上に増やしてもよい。
　【０１２０】
　さらに、操作パネル１３のそれぞれに、１つづつタッチペン１４が設けられるとしたが、ＣＰＵ３１が処理できる範囲で、１つの操作パネル１３に対して複数のタッチペン１４を用意しても良い。
　【０１２１】
　【発明の効果】
　本発明の画像印刷装置および方法、並びに記録媒体のプログラムによれば、撮影画像に対して落書きを入力する場合、例えば、被写体の顔などに落書きが重なるのを防ぐことができる。
　【０１２２】
【図面の簡単な説明】
　【図１】
　本発明を適用した画像印刷装置の外観の例を示す図である。
　【図２】
　画像印刷装置の構成例を示すブロック図である。
　【図３】
　画像印刷装置の印刷処理を説明するフローチャートである。
　【図４】
　画像印刷装置の印刷処理を説明する図３に続くフローチャートである。
　【図５】
　デモ画面の表示例を説明する図である。
　【図６】
　説明画面の表示例を説明する図である。
　【図７】
　取り込み画像の例を説明する図である。
　【図８】
　撮影画面の例を説明する図である。
　【図９】
　印刷写真選択画面の例を説明する図である。
　【図１０】
　明るさ調整画面の例を説明する図である。
　【図１１】
　落書き画面の例を説明する図である。
　【図１２】
　分割数選択画面の例を説明する図である。
　【図１３】
　案内画面の例を説明する図である。
　【図１４】
　画像印刷装置の反映処理を説明するフローチャートである。
　【図１５】
　画像印刷装置の反映処理を説明する図１４に続くフローチャートである。
　【図１６】
　他の落書き画面の例を説明する図である。
　【図１７】
　さらに他の落書き画面の例を説明する図である。
　【図１８】
　画像印刷装置の落書き範囲制限処理を説明するフローチャートである。
　【図１９】
　落書き範囲選択メニューの表示例を説明する図である。
　【図２０】
　フレームバッファの例を説明する図である。
　【図２１】
　落書き範囲の表示例を説明する図である。
　【符号の説明】
　１　画像印刷装置
　１０　筐体
　１１−１および１１−２　スピーカ
　１２−１および１２−２　照明装置
　１３−１および１３−２　操作パネル
　１４−１および１４−２　タッチペン
　１５　ＣＣＤカメラ
　１６　取り込み画像表示部
　１７　撮影装置
　１８　駆動装置
　１９　硬貨投入口
　２０　シール取出口
　２１　足リモコン
　２２　階段
　３０　バス
　３１　ＣＰＵ
　３２　ＲＯＭ
　３３　ＲＡＭ
　３４　ドライバ
　３５　硬貨処理部
　３６　プリンタ
　３７−１　表示プロセッサ
　３７−２　表示プロセッサ
　３８−１　タッチパネル
　３８−２　タッチパネル
　３９−１　モニタ
　３９−２　モニタ
　４０−１および４０−２　音声出力装置